(57)【特許請求の範囲】
【請求項１】
リモコンからのキー入力信号を解析するリモコン入力解析部と、
前記リモコン入力解析部において解析されたキー入力信号を時刻を示す信号に変換する時刻変換部と、
前記時刻変換部において変換された時刻を示す信号に基づき２次元番組表の表示エリアを算出する表示エリア算出部と、
前記表示エリア算出部において算出された表示エリアで２次元番組表を作成する番組ガイド作成部と、を具備し、
前記リモコン入力解析部が前記リモコンからのキー入力信号を時刻ジャンプモードへの切替えを示すキー入力信号と解析した状態において、前記リモコンからさらに入力されたキー入力信号を数字キーを示す信号と解析した場合、前記数字キーを示す信号が前記時刻変換部に入力され、
前記時刻変換部は、前記解析された数字キーが示す数字を、１２時間表示時計を模した時刻の最も近い未来の午前あるいは午後の該当する時刻を示す信号に変換して前記表示エリア算出部へ出力するよう構成された電子番組ガイド表示装置。
【請求項２】
前記表示エリア算出部は、前記リモコン入力解析部が連続して同じ数字キーを示すキー入力信号と解析する毎に、前記時刻変換部において変換された時刻を示す信号に基づき前記２次元番組表の表示エリアを１２時間ずつ進めるよう構成された請求項１に記載の電子番組ガイド表示装置。
【請求項３】
前記リモコン入力解析部において解析されたキー入力信号を、日付を示す信号に変換する日付変換部をさらに具備し、
前記表示エリア算出部は前記日付変換部において変換された日付を示す信号で２次元番組表の表示エリアを算出し、前記番組ガイド作成部は前記表示エリア算出部において算出された表示エリアで２次元番組表を作成するよう構成された請求項２に記載の電子番組ガイド表示装置。
【請求項４】
前記リモコン入力解析部において解析されたキー入力信号を、チャンネルを示す信号に変換するチャンネル変換部をさらに具備し、
前記表示エリア算出部は前記チャンネル変換部において変換されたチャンネルを示す信号に基づき２次元番組表の表示エリアを算出し、前記番組ガイド作成部は前記表示エリア算出部において算出された表示エリアで２次元番組表を作成するよう構成された請求項２に記載の電子番組ガイド表示装置。
【請求項５】
前記番組ガイド作成部は、前記２次元番組表の時刻欄に前記リモコンからのキー入力信号が示す数字を表示するよう構成された請求項２に記載の電子番組ガイド表示装置。
【請求項６】
前記時刻変換部は、上下左右の方向を示す方向指定キーの入力信号をアナログ時計を模した時刻を示す信号に変換するよう構成された請求項１に記載の電子番組ガイド表示装置。
【請求項７】
前記時刻変換部は、上方向キーを示す信号を０時、下方向キーを示す信号を６時、左方向キーを示す信号を９時、及び右方向キーを示す信号を３時、を示す各信号に変換するよう構成された請求項６に記載の電子番組ガイド表示装置。
【請求項８】
前記番組ガイド作成部は、前記指定方向キーと時刻を対応付けた時刻ジャンプパネルを前記２次元番組表とともに表示するよう構成された請求項６に記載の電子番組ガイド表示装置。
【請求項９】
前記時刻ジャンプパネルの表示と非表示により、前記時刻ジャンプモードの実行と非実行を切替えるよう構成された請求項８に記載の電子番組ガイド表示装置。
【請求項１０】
前記時刻ジャンプパネルはキー操作がなければ所定時間経過後に非表示となるよう構成された請求項８に記載の電子番組ガイド表示装置。
【請求項１１】
リモコンからのキー入力信号を解析するリモコン入力解析部と、
前記リモコン入力解析部において解析されたキー入力信号を日付を示す信号に変換する日付変換部と、
前記日付変換部において変換された日付を示す信号に基づき２次元番組表の表示エリアを算出する表示エリア算出部と、
前記表示エリア算出部において算出された表示エリアで２次元番組表を作成する番組ガイド作成部と、を具備し、
前記リモコン入力解析部が前記リモコンからのキー入力信号を日付ジャンプモードへの切替えを示すキー入力信号と解析した状態において、前記リモコンからさらに入力されたキー入力信号を数字キーを示す信号と解析した場合、前記数字キーを示す信号が前記日付変換部に入力され、
前記日付変換部は、前記解析された数字キーが示す数字を、日付の下一桁の数字として有する最も近い未来の日付を示す信号に変換して前記表示エリア算出部へ出力するよう構成された電子番組ガイド表示装置。
【請求項１２】
リモコンが少なくとも「１」から「１１」の数字キーを有し、前記日時変換部は、リモコンから入力された数字キーが「１１」のとき、日付を「３１日」に変換するよう構成された請求項１１に記載の電子番組ガイド表示装置。
【請求項１３】
リモコンからのキー入力信号を解析するリモコン入力解析ステップと、
解析されたキー入力信号を時刻を示す信号に変換する時刻変換ステップと、
変換された時刻を示す信号に基づき２次元番組表の表示エリアを算出する表示エリア算出ステップと、
算出された表示エリアで２次元番組表を作成する番組ガイド作成ステップと、
を有し、
前記リモコン入力解析ステップにおいて、前記リモコンからのキー入力信号を時刻ジャンプモードへの切替えを示すキー入力信号と解析した状態で前記リモコンからさらに入力されたキー入力信号を数字キーを示すキー入力信号と解析した場合、前記時刻変換ステップにおいて、前記解析された数字キーを示す数字を、１２時間表示時計を模した時刻の最も近い未来の午前あるいは午後の該当する時刻を示す信号に変換する電子番組ガイド表示方法。
【請求項１４】
前記表示エリア算出ステップにおいて、前記リモコン入力解析ステップが連続して同じ数字キーを示すキー入力信号と解析する毎に、前記時刻変換ステップにおいて変換された時刻に基づき前記２次元番組表の表示エリアを１２時間ずつ進める請求項１３に記載の電子番組ガイド表示方法。
【請求項１５】
解析されたキー入力信号を日付を示す信号に変換する日付変換ステップをさらに有し、
前記表示エリア算出ステップにおいて、変換された日付を示す信号に基づき２次元番組表の表示エリアを算出し、前記番組ガイド作成ステップにおいて、算出された表示エリアで２次元番組表を作成する請求項１４に記載の電子番組ガイド表示方法。
【請求項１６】
解析されたキー入力信号をチャンネルを示す信号に変換するチャンネル変換ステップをさらに有し、
前記表示エリア算出ステップにおいて、変換されたチャンネルを示す信号に基づき２次元番組表の表示エリアを算出し、前記番組ガイド作成ステップにおいて、算出された表示エリアで２次元番組表を作成する請求項１４に記載の電子番組ガイド表示方法。
【請求項１７】
前記時刻変換ステップにおいて、前記リモコンから上下左右の方向を示す方向指定キーの入力信号をアナログ時計を模した時刻を示す信号に変換する請求項１３に記載の電子番組ガイド表示方法。
【請求項１８】
前記時刻変換ステップにおいて、前記リモコンの上方向キーを示す信号が０時、下方向キーを示す信号が６時、左方向キーを示す信号が９時、及び右方向キーを示す信号が３時を示すように各信号が変換される請求項１７に記載の電子番組ガイド表示方法。
【請求項１９】
リモコンからのキー入力信号を解析するリモコン入力解析ステップと、
解析されたキー入力信号を日付を示す信号に変換する日付変換ステップと、
変換された日付を示す信号に基づき２次元番組表の表示エリアを算出する表示エリア算出ステップと、
算出された表示エリアで２次元番組表を作成する番組ガイド作成ステップと、
を有し、
前記リモコン入力解析ステップにおいて、前記リモコンからのキー入力信号を日付ジャンプモードへの切替えを示すキー入力信号と解析した状態で前記リモコンからさらに入力されたキー入力信号を数字キーを示すキー入力信号と解析した場合、前記日付変換ステップにおいて、前記解析された数字キーを示す数字を、日付の下一桁の数字として有する最も近い未来の日付を示す信号に変換する電子番組ガイド表示方法。
【発明の詳細な説明】
【技術分野】
【０００１】
本発明は、放送受信機に用いられ、放送中及び放送予定の番組に関する放送チャンネルと放送時刻等を示す電子番組ガイド情報を受信して表示する電子番組ガイド表示装置及び電子番組ガイド表示方法に関するものであり、特に、ユーザが所望の番組を検索したり、番組に関する情報を入手したりする際の操作性を改善した電子番組ガイド表示装置及び電子番組ガイド表示方法に関する。
【背景技術】
【０００２】
テレビジョン放送では、映像情報や音声情報の他に番組に関する放送内容、放送チャンネル及び放送時刻等を示す付加情報も同時に多重化して送信することができる。また、テレビジョン放送から付加情報を取得する方法以外にも、インターネットに接続する機能を搭載してインターネット経由で付加情報を取得する方法もある。このため、テレビジョン放送の放送受信機においては、これらの付加情報を利用して一般に電子番組ガイド（ＥＰＧ）と称されるオンスクリーン表示を行う機能を有するものがある。このような放送受信機を使用するユーザは、画面上に表示された電子番組ガイドから所望の放送チャンネルと放送時刻を選択するか、又は所望の番組を選択することによって、選択された番組を当該放送受信機の画面上に実際に表示させたり、若しくは番組の予約を行うことが可能である。
【０００３】
電子番組ガイドの表示形態には、新聞のテレビ欄のように放送チャンネルと放送時刻とを横方向と縦方向の直交する２軸により表示した２次元番組表が多く用いられている。その他の表示形態としては、表示画面と異なる他の放送チャンネルにおいて放送中の番組情報を表示する裏番組表や、番組のジャンルやキーワードで検索した番組をリストにして表示する一覧表等がある。
【０００４】
２次元番組表においては、見易さや操作性の面から、一画面での表示範囲は、放送チャンネルの表示が３〜９チャンネルであり、放送時刻の表示が３〜６時間であるのが一般的である。したがって、ユーザはリモートコントロールユニット（リモコン）にあるキーを操作して表示画面を上下左右に動かすことにより見たい番組を表示させている。このように、ユーザが電子番組ガイドにおける放送チャンネルの軸方向にそって表示画面をスクロールさせることにより、全てのチャンネルで現在放送されている番組情報を閲覧することが可能である。また、ユーザが電子番組ガイドの放送時刻の軸方向にそって表示画面をスクロールさせることにより、該当チャンネルにおける放送送出側から送られてくる番組情報の全てを表示させることができる。このように放送時刻の軸方向に表示画面をスクロールさせることにより、例えば、該当チャンネルの７日後の２４時（午後１２時）まで表示することができる。
【０００５】
通常、ユーザが２次元番組表の表示を要求した場合には、受信機側で最初に表示する初期画面は、放送時刻においては、現在の時刻から始まり数時間分が表示される。また、放送チャンネルにおいては、チャンネル番号順に現在選局中のチャンネルを中心にして前後数チャンネル、若しくは、選局中のチャンネルから後ろ側へ数チャンネルが表示される場合が多い。ユーザは、前記のような初期画面が表示された後、放送チャンネル若しくは放送時刻をスクロールさせることにより、所望の番組を検索して、番組の番組名、開始時刻、終了時刻、詳細な内容の説明等の該当番組に関する詳細な番組情報を取得する。
【０００６】
このような従来の電子番組ガイド表示装置及び電子番組ガイド表示方法においては、ユーザが閲覧したい時刻が、現在の時刻から離れている場合には、スクロール操作を頻繁に、若しくは長時間にわたって行わなければならず、所望の時刻まで移動することが非常に煩雑であり、使い勝手が悪いという問題があった。
【０００７】
従来の放送受信機においては、日付若しくは曜日を指定して、一旦指定された日付若しくは曜日に移動し、その後、時間単位のスクロール操作を行うことより、所望の時刻へ辿り着く構成のものがある。このように、一旦指定された日付若しくは曜日に移動して、スクロール操作の時間を短くする機能を有するものもあるが、このような機能を用いても、若干の手間は省けるものの煩雑で使い勝手が悪いという前記の問題点は根本的には解決されていない。
【０００８】
次に、前記のような従来の電子番組ガイド表示装置の構成について図１５及び図１６を用いて説明し、従来の電子番組ガイド表示装置が作成し、表示する２次元番組表の具体例を示す。
【０００９】
図１５は前記のような従来の電子番組ガイド表示装置の構成を示すブロック図である。図１６は電子番組ガイド表示装置が作成し、表示する２次元番組表の具体例を示す図である。
【００１０】
図１５に示すように、従来の電子番組ガイド表示装置１５００は、受信部１５０１、多重化分離部１５０２、デコード部１５０３、番組情報管理部１５０４、リモコン入力解析部１５０５、チャンネル変換部１５０６、表示エリア算出部１５０７、番組ガイド作成部１５０８、及び表示部１５０９により構成されている。この電子番組ガイド表示装置１５００にはリモコン２２００が信号伝送可能に接続されており、リモコン２２００からのユーザの指令が電子番組ガイド表示装置１５００に入力される。以下、放送チャンネルは単にチャンネルと称し、放送時刻は単に時刻と称する。
【００１１】
リモコン２２００には、電源キーの他に、０から９までの１０個の数字キーと、上下左右方向に指定領域を移動させる方向指定キーが設けられている。また、リモコン２２００には青色、赤色、緑色、及び黄色のキーが設けられており、それぞれのキー操作により当該装置における固有の機能を奏するよう構成されている。
【００１２】
電子番組ガイド表示装置１５００における、受信部１５０１はデジタル放送の多重化されたストリームを受信する。多重化分離部１５０２は受信部１５０１から入力した多重化されたストリームを任意のデジタル映像情報及びデジタル音声情報の他に、サービス情報として、チャンネル情報、時刻情報及び番組内容情報等を含む番組情報に分離する。デコード部１５０３は多重化分離部１５０２から入力したデジタル映像情報及びデジタル音声情報をデコードする。番組情報管理部１５０４は多重化分離部１５０２で分離された情報から番組情報を取り出し、全チャンネルの全時間帯の番組情報を蓄積し、管理する。
【００１３】
リモコン入力解析部１５０５は、リモコン２２００におけるユーザのキー操作による入力キーの種類を解析し、その解析結果に基づき出力先を決定する。チャンネル変換部１５０６は、リモコン入力解析部１５０５の解析結果が数字キーであるとき、リモコン入力解析部１５０５から数字キーの信号が入力され、入力された数字キーを示す信号がチャンネルを示す信号に変更される。
【００１４】
表示エリア算出部１５０７は、リモコン入力解析部１５０５の解析結果が指定領域の移動方向を示す方向指定キーであるとき、リモコン入力解析部１５０５から上下左右の移動方向を示す信号が入力され、その移動方向に従って２次元番組表の表示エリアのスクロール方向を算出する。また、リモコン入力解析部１５０５の解析結果が青キー又は赤キーである場合には、その青キー又は赤キーからの日付指定信号が入力された表示エリア算出部１５０７は、２次元番組表の表示する日付を算出する。
さらに、表示エリア算出部１５０７は、チャンネル変換部１５０６から入力されたチャンネルを示す信号に基づき、２次元番組表の表示エリアを算出する。
【００１５】
番組ガイド作成部１５０８は、表示エリア算出部１５０７からの算出結果と、番組情報管理部１５０４からの必要な情報が入力されて、２次元番組表を作成する。表示部１５０９は、デコード部１５０３から入力したデコードされた映像情報及び音声情報により映像を表示し、或いは、番組ガイド作成部１５０８から入力した２次元番組表を表示する。
【００１６】
次に、リモコン２２００のキー操作によるキー入力から、表示部１５０９に２次元番組表の切替え表示が行われるまでの電子番組ガイド表示装置１５００の各構成の動作について詳細に説明する。
【００１７】
リモコン入力解析部１５０５は、リモコン２２００のキー操作により特定のキーが押圧（キー入力）されたとき、そのキー入力の種類を解析する。即ち、リモコン入力解析部１５０５は、２次元番組表のカーソル位置を時間毎又はチャンネル毎に１つずつ上下左右に移動させる方向指定キー、２次元番組表の日付を変更する青キー又は赤キー、２次元番組表においてチャンネルや日付をジャンプさせる数字キー、及びその他のキーにおけるいずれのキーが操作されているかを解析する。
【００１８】
リモコン入力解析部１５０５は、リモコン２２００からの入力キーの解析結果が上下左右方向のいずれかの方向を示す方向指定キーの場合、指定された方向を示す信号を表示エリア算出部１５０７に出力する。リモコン２２００からの入力キーの解析結果が青キー又は赤キーの場合、青キーならば現在の日付から１日前の日付を示す信号を、又は赤キーならば現在の日付から１日後の日付を示す信号を表示エリア算出部１５０７に出力する。
【００１９】
チャンネル変換部１５０６は、リモコン入力解析部１５０５から入力した数字キーの数字を該当チャンネルに変換し、そのチャンネルが２次元番組表の表示の基準位置になるよう表示エリア算出部１５０７に出力する。例えば、数字キーにおいて「２」が入力された場合、チャンネル変換部１５０６は「２チャンネル」を２次元番組表の基準位置のチャンネルとするように設定する。
【００２０】
表示エリア算出部１５０７は、リモコン入力解析部１５０５から方向指定キーの信号が入力されたとき、現在の２次元番組表が表示している番組欄のカーソル位置を上下左右方向における指定された方向へ移動するよう表示エリアを算出する。また、表示エリア算出部１５０７は、リモコン入力解析部１５０５から青キー又は赤キーの信号が入力されたとき、現在の２次元番組表が表示している番組欄の日付を、青キーならば１日前へ、赤キーならば１日後へ変更するよう表示形式を算出する。チャンネル変換部１５０６から２次元番組表の表示の基準位置になるチャンネルを指定する信号が入力されたとき、例えば、２次元番組表の表示のチャンネル軸の中央位置に指定されたチャンネルが配置されるように、２次元番組表の表示エリアが算出される。表示エリア算出部１５０７は算出した２次元番組表の表示エリアを番組ガイド作成部１５０８に出力する。
【００２１】
番組ガイド作成部１５０８は、番組情報管理部１５０４が蓄積し、管理している番組情報を入力して、表示エリア算出部１５０７が算出した表示エリアに適応する２次元番組表を作成する。そして、番組ガイド作成部１５０８は、表示部１５０９に対して現在表示している２次元番組表を新たに作成した２次元番組表に切替え表示するよう指令信号を出力する。
【００２２】
番組ガイド作成部１５０８から切替え表示の指令信号が入力された表示部１５０９は、番組ガイド作成部１５０８から入力した新たな２次元番組表を現在表示している２次元番組表に切替えて表示する。
【００２３】
次に、従来の電子番組ガイド表示装置１５００が作成し、表示する２次元番組表の具体的な表示画面について図１６を参照しつつ説明する。
【００２４】
図１６は表示部１５０９に表示された２次元番組表の表示画面を具体的に示した図である。図１６に示す２次元番組表の表示画面においては、横方向にチャンネルが配置され、縦方向に時刻が配置されている。チャンネル表示欄の上部には日付を示す日付タブが配置されている。通常、電子番組ガイドの情報は現在の日付を含めて８日間の情報を持ち、それ以降の情報を持っていないのが一般的である。したがって、従来の電子番組ガイド表示装置１５００においては、現在の日付を含めて８日間の情報が表示される。日付タブにおいて特に拡大表示されている日付タブが現在表示中の番組データを示している。
ユーザが所望する時刻の番組データを閲覧したい場合には、上下方向を示す方向指定キーにより時刻軸をスクロールさせるか、青キーによって１日前の時刻へジャンプするか、赤キーによって１日後の時刻へジャンプする。
【００２５】
ユーザが所望する時刻の電子番組データを閲覧したい場合におけるその他のアプローチとしては、日本の特開２００２−４４５５４号公報に開示された方法では、アナログ時計表示を行い、左右方向を示すキーのみで目的の時刻への移動を可能とし、左右方向を示すキーを押し続けたときは番組情報の表示はせずにアナログ時計のみを更新することで移動時間の短縮を図っている。
【００２６】
日本の特開２００５−１２４１２号公報に開示された方法では、次の日、又は１週間先等の移動先を示すキーを画面に表示することにより、日付のジャンプを可能としている。
日本の特開平１０−２７６３７８号公報に開示された方法では、電子番組ガイドの画面にスクロールバーを表示して、そのスクロールバーにカーソルを合わせて、チャンネルや日付や時刻をジャンプさせている。
【特許文献１】特開２００２−４４５５４号公報
【特許文献２】特開２００５−１２４１２号公報
【特許文献３】特開平１０−２７６３７８号公報
【発明の開示】
【発明が解決しようとする課題】
【００２７】
しかしながら、前記のような従来の構成では、例えばアナログ時計が所望の時刻を示すまで左右方向を示すキーを押し続ける必要があり、２次元番組表に表示されたスクロールバーにカーソルを移動させて、さらにそのスクロールバーを所望の時刻まで移動させる操作が必要である。このため、従来の電子番組ガイド表示装置においては、ユーザが所望時刻まで移動させるまでに煩雑な作業が必要であり、スクロール操作に時間がかかるという問題はまだ残っていた。
【００２８】
本発明は、従来の電子番組ガイド表示装置における前記の問題を解決するものであり、少ない操作により、且つユーザの直感的な操作により、目的の時刻に短時間で移動することができる電子番組ガイド表示装置及び電子番組ガイド表示方法を提供することを目的とする。
【課題を解決するための手段】
【００２９】
本発明の第１の観点の電子番組ガイド表示装置は、従来の電子番組ガイド表示装置における問題を解決し、前記目的を達成するために、リモコンからのキー入力信号を解析するリモコン入力解析部と、前記リモコン入力解析部において解析されたキー入力信号を時刻を示す信号に変換する時刻変換部と、前記時刻変換部において変換された時刻を示す信号に基づき２次元番組表の表示エリアを算出する表示エリア算出部と、前記表示エリア算出部において算出された表示エリアで２次元番組表を作成する番組ガイド作成部と、を具備し、
前記リモコン入力解析部が前記リモコンからのキー入力信号を時刻ジャンプモードへの切替えを示すキー入力信号と解析した状態において、前記リモコンからさらに入力されたキー入力信号を数字キーを示す信号と解析した場合、前記数字キーを示す信号が前記時刻変換部に入力され、
前記時刻変換部は、前記解析された数字キーが示す数字を、１２時間表示時計を模した時刻の最も近い未来の午前あるいは午後の該当する時刻を示す信号に変換して前記表示エリア算出部へ出力するよう構成されている。このように構成された本発明の電子番組ガイド表示装置は、ユーザが閲覧を望む時刻の番組欄を容易に、且つ短時間で表示させることができる。
【００３０】
本発明の第２の観点の電子番組ガイド表示装置においては、前記第１の観点の前記表示エリア算出部は、前記リモコン入力解析部が連続して同じ数字キーを示すキー入力信号と解析する毎に、前記時刻変換部において変換された時刻を示す信号に基づき前記２次元番組表の表示エリアを１２時間ずつ進めるよう構成されている。このように構成された本発明の電子番組ガイド表示装置は、２次元番組表における時刻ジャンプを容易に行うことができ、ユーザが閲覧を望む番組を短時間で表示することができる。
【００３１】
本発明の第３の観点の電子番組ガイド表示装置は、前記第２の観点の前記リモコン入力解析部において解析されたキー入力信号を、日付を示す信号に変換する日付変換部をさらに具備し、前記表示エリア算出部は前記日付変換部において変換された日付を示す信号で２次元番組表の表示エリアを算出し、前記番組ガイド作成部は前記表示エリア算出部において算出された表示エリアで２次元番組表を作成するよう構成されている。このように構成された本発明の電子番組ガイド表示装置は、ユーザが閲覧を望む日付の番組欄を容易に、且つ短時間で表示させることができる。
【００３２】
本発明の第４の観点の電子番組ガイド表示装置は、前記第２の観点の前記リモコン入力解析部において解析されたキー入力信号を、チャンネルを示す信号に変換するチャンネル変換部をさらに具備し、前記表示エリア算出部は前記チャンネル変換部において変換されたチャンネルを示す信号に基づき２次元番組表の表示エリアを算出し、前記番組ガイド作成部は前記表示エリア算出部において算出された表示エリアで２次元番組表を作成するよう構成されている。このように構成された本発明の電子番組ガイド表示装置は、ユーザが閲覧を望むチャンネルの番組欄を容易に、且つ短時間で表示させることができる。
【００３３】
本発明の第５の観点の電子番組ガイド表示装置は、前記第２の観点の前記番組ガイド作成部は、前記２次元番組表の時刻欄に前記リモコンからのキー入力信号が示す数字を表示するよう構成されている。このように構成された本発明の電子番組ガイド表示装置は、２次元番組表における時刻ジャンプを容易に行うことができる。
【００３４】
本発明の第６の観点の電子番組ガイド表示装置は、前記第１の観点の前記時刻変換部が、上下左右の方向を示す方向指定キーの入力信号をアナログ時計を模した時刻を示す信号に変換するよう構成されている。このように構成された本発明の電子番組ガイド表示装置は、ユーザが閲覧を望む番組を短時間で表示することができる。
【００３５】
本発明の第７の観点の電子番組ガイド表示装置は、前記第６の観点の前記時刻変換部が、上方向キーを示す信号を０時、下方向キーを示す信号を６時、左方向キーを示す信号を９時、及び右方向キーを示す信号を３時、を示す各信号に変換するよう構成されている。このように構成された本発明の電子番組ガイド表示装置は、２次元番組表における時刻ジャンプをユーザの直感的な操作により行うことができる。
【００３６】
本発明の第８の観点の電子番組ガイド表示装置は、前記第６の観点の前記番組ガイド作成部が、前記指定方向キーと時刻を対応付けた時刻ジャンプパネルを前記２次元番組表とともに表示するよう構成されている。このように構成された本発明の電子番組ガイド表示装置は、ユーザの閲覧操作を容易とし、ユーザが望む番組を短時間で表示することができる。
【００３７】
本発明の第９の観点の電子番組ガイド表示装置は、前記第８の観点の前記時刻ジャンプパネルの表示と非表示により、前記時刻ジャンプモードの実行と非実行を切替えるよう構成されている。このように構成された本発明の電子番組ガイド表示装置は、ユーザが閲覧を望む番組を短時間で表示することができる。
【００３８】
本発明の第１０の観点の電子番組ガイド表示装置は、前記第８の観点の前記時刻ジャンプパネルがキー操作がなければ所定時間経過後に非表示となるよう構成されている。このように構成された本発明の電子番組ガイド表示装置は、所定時間経過後に時刻ジャンプパネルが消滅するため、通常の操作を行うためにジャンプパネルを消滅させる特別な操作を必要とせず、取り扱いが容易な装置となる。
【００３９】
本発明の第１１の観点の電子番組ガイド表示装置は、リモコンからのキー入力信号を解析するリモコン入力解析部と、前記リモコン入力解析部において解析されたキー入力信号を日付を示す信号に変換する日付変換部と、前記日付変換部において変換された日付を示す信号に基づき２次元番組表の表示エリアを算出する表示エリア算出部と、前記表示エリア算出部において算出された表示エリアで２次元番組表を作成する番組ガイド作成部と、を具備し、
前記リモコン入力解析部が前記リモコンからのキー入力信号を日付ジャンプモードへの切替えを示すキー入力信号と解析した状態において、前記リモコンからさらに入力されたキー入力信号を数字キーを示す信号と解析した場合、前記数字キーを示す信号が前記日付変換部に入力され、
前記日付変換部は、前記解析された数字キーが示す数字を、日付の下一桁の数字として有する最も近い未来の日付を示す信号に変換して前記表示エリア算出部へ出力するよう構成されている。このように構成された本発明の電子番組ガイド表示装置は、ユーザが閲覧を望む日付の番組欄を容易に、且つ短時間で表示させることができる。
【００４１】
本発明の第１２の観点の電子番組ガイド表示装置は、前記第１１の観点のリモコンが少なくとも「１」から「１１」の数字キーを有し、前記日付変換部は、リモコンから入力された数字キーが「１１」のとき、日付を「３１日」に変換するよう構成されている。このように構成された本発明の電子番組ガイド表示装置は、ユーザが閲覧を望む日付の番組欄を容易に、且つ短時間で表示させることができる。
【００４４】
本発明の第１３の観点の電子番組ガイド表示方法は、リモコンからのキー入力信号を解析するリモコン入力解析ステップと、解析されたキー入力信号を時刻を示す信号に変換する時刻変換ステップと、変換された時刻を示す信号に基づき２次元番組表の表示エリアを算出する表示エリア算出ステップと、算出された表示エリアで２次元番組表を作成する番組ガイド作成ステップと、を有し、
前記リモコン入力解析ステップにおいて、前記リモコンからのキー入力信号を時刻ジャンプモードへの切替えを示すキー入力信号と解析した状態で前記リモコンからさらに入力されたキー入力信号を数字キーを示すキー入力信号と解析した場合、前記時刻変換ステップにおいて、前記解析された数字キーを示す数字を、１２時間表示時計を模した時刻の最も近い未来の午前あるいは午後の該当する時刻を示す信号に変換する。このようなステップを有する本発明の電子番組ガイド表示方法によれば、ユーザが閲覧を望む時刻の番組欄を容易に、且つ短時間で表示させることができる。
【００４５】
本発明の第１４の観点の電子番組ガイド表示方法は、前記第１３の観点における前記表示エリア算出ステップにおいて、前記リモコン入力解析ステップが連続して同じ数字キーを示すキー入力信号と解析する毎に、前記時刻変換ステップにおいて変換された時刻に基づき前記２次元番組表の表示エリアを１２時間ずつ進めている。このようなステップを有する本発明の電子番組ガイド表示方法によれば、２次元番組表における時刻ジャンプを容易に行うことができ、ユーザが閲覧を望む番組を短時間で表示することができる。
【００４６】
本発明の第１５の観点の電子番組ガイド表示方法は、前記第１４の観点において、解析されたキー入力信号を日付を示す信号に変換する日付変換ステップをさらに有し、
前記表示エリア算出ステップにおいて、変換された日付を示す信号に基づき２次元番組表の表示エリアを算出し、前記番組ガイド作成ステップにおいて、算出された表示エリアで２次元番組表を作成する。このようなステップを有する本発明の電子番組ガイド表示方法によれば、ユーザが閲覧を望む日付の番組欄を容易に、且つ短時間で表示させることができる。
【００４７】
本発明の第１６の観点の電子番組ガイド表示方法は、前記第１４の観点において、解析されたキー入力信号をチャンネルを示す信号に変換するチャンネル変換ステップをさらに有し、前記表示エリア算出ステップにおいて、変換されたチャンネルを示す信号に基づき２次元番組表の表示エリアを算出し、前記番組ガイド作成ステップにおいて、算出された表示エリアで２次元番組表を作成する。このようなステップを有する本発明の電子番組ガイド表示方法によれば、ユーザが閲覧を望むチャンネルの番組欄を容易に、且つ短時間で表示させることができる。
【００４８】
本発明の第１７の観点の電子番組ガイド表示方法は、前記第１３の観点における前記時刻変換ステップにおいて、前記リモコンから上下左右の方向を示す方向指定キーの入力信号をアナログ時計を模した時刻を示す信号に変換する。このようなステップを有する本発明の電子番組ガイド表示方法によれば、ユーザが閲覧を望む番組を短時間で表示することができる。
【００４９】
本発明の第１８の観点の電子番組ガイド表示方法は、前記第１７の観点における前記時刻変換ステップにおいて、前記リモコンの上方向キーを示す信号が０時、下方向キーを示す信号が６時、左方向キーを示す信号が９時、及び右方向キーを示す信号が３時を示すように各信号に変換される。このようなステップを有する本発明の電子番組ガイド表示方法によれば、２次元番組表における時刻ジャンプをユーザの直感的な操作により行うことができる。
【００５１】
本発明の第１９の観点の電子番組ガイド表示方法は、リモコンからのキー入力信号を解析するリモコン入力解析ステップと、解析されたキー入力信号を日付を示す信号に変換する日付変換ステップと、変換された日付を示す信号に基づき２次元番組表の表示エリアを算出する表示エリア算出ステップと、算出された表示エリアで２次元番組表を作成する番組ガイド作成ステップと、を有し、
前記リモコン入力解析ステップにおいて、前記リモコンからのキー入力信号を日付ジャンプモードへの切替えを示すキー入力信号と解析した状態で前記リモコンからさらに入力されたキー入力信号を数字キーを示すキー入力信号と解析した場合、前記日付変換ステップにおいて、前記解析された数字キーを示す数字を、日付の下一桁の数字として有する最も近い未来の日付を示す信号に変換する。このようなステップを有する本発明の電子番組ガイド表示方法は、ユーザが閲覧を望む日付の番組欄を短時間で表示させることができる。
【発明の効果】
【００５２】
本発明の電子番組ガイド表示装置及び電子番組ガイド表示方法によれば、ユーザが閲覧したい時刻へキーを押し続ける操作等により２次元番組表をスクロールさせて表示させるような長時間の操作を行うことなく、日付或いは時刻とイメージが結びついて直感的に操作できるリモコンの数字キーあるいは上下左右の移動方向を示す方向指定キーの入力により、２次元番組表において所望の日付、時刻或いはチャンネルの番組を瞬時に表示することができる。
【発明を実施するための最良の形態】
【００５３】
以下、本発明の電子番組ガイド表示装置及び電子番組ガイド表示方法を実施するための最良の形態について、添付の図面を参照しつつ詳細に説明する。
【００５４】
実施の形態１
図１から図５を用いて本発明に係る実施の形態１の電子番組ガイド表示装置（以降、ＥＰＧ表示装置と略称）１００の構成について説明する。
図１は本発明に係る実施の形態１のＥＰＧ表示装置１００の構成を示すブロック図である。実施の形態１のＥＰＧ表示装置１００は、２次元番組表の画面表示において、時刻軸にそってスクロールさせる煩雑さを解消するためになされたものである。実施の形態１のＥＰＧ表示装置１００は、リモートコントロールユニット（以降、リモコンと略称）２００における少ないキー操作により、２次元番組表における時刻軸及びチャンネル軸にそってジャンプして目的の番組へ瞬時に移動できる特徴を有している。
【００５５】
［ＥＰＧ表示装置１００の構成］
図１に示すように、実施の形態１のＥＰＧ表示装置１００は、受信部１０１、多重化分離部１０２、デコード部１０３、番組情報管理部１０４、リモコン入力解析部１０５、チャンネル変換部１０６、時刻変換部１０７、表示エリア算出部１０８、番組ガイド作成部１０９、及び表示部１１０を有している。
【００５６】
実施の形態１のＥＰＧ表示装置１００において、受信部１０１はデジタル放送の多重化されたストリームを受信する。多重化分離部１０２は受信部１０１から入力された多重化されたストリームをデジタル映像情報、デジタル音声情報、及びサービス情報としての番組情報に分離する。また、番組情報には、番組内容を示す情報、チャンネル情報、時刻情報等が含まれる。デコード部１０３は多重化分離部１０２から入力されたデジタル映像情報、デジタル音声情報をデコードする。番組情報管理部１０４は多重化分離部１０２で分離された情報から番組情報を取り出し、全チャンネルの全時間帯における番組情報を蓄積し、管理する。
【００５７】
リモコン２００との間が信号伝送可能に接続されたリモコン入力解析部１０５は、ユーザがキー操作したリモコン２００からのキー入力信号を解析し、その解析結果に基づき、キー入力信号の出力先を選択する。即ち、リモコン入力解析部１０５は、リモコン２００における入力キーの種類、例えば後述する数字キー、方向指定キー、色付きキー等のキーのうちいずれのキーが操作されたのかを検出して、操作されたキー入力に適した出力先を選択する。ここで方向指定キーとは、中央部分に決定キーを含むカーソル移動キーであり、表示エリアにおける指定領域の移動方向を上下左右のいずれかの方向に指定するキーである。
【００５８】
実施の形態１における色付きキーは青キー（外面が青色の押しボタン）、赤キー（外面が赤色の押しボタン）、緑キー（外面が緑色の押しボタン）、及び黄キー（外面が黄色の押しボタン）であり、それぞれのキーが押圧されることによりＥＰＧ表示装置による表示形式を変更するものである。例えば、青キーが操作されると表示エリアに前日の２次元番組表が表示され、赤キーが操作されると表示エリアに翌日の２次元番組表が表示される。
【００５９】
また、緑キーが操作されると表示エリアの２次元番組表が拡大又は縮小されるモードとなり、例えば、緑キーが押される度に表示画面は３チャンネル表示、５チャンネル表示、７チャンネル表示、そして３チャンネル表示に戻り、順次に押される度に表示形式が切り替わる。黄キーが操作されるとジャンプモードと通常モードが切り替わり、黄キー操作の後、数字キー又は方向指定キーが操作されると数字キー又は方向指定キーにより指定された日付又はチャンネルにジャンプするモードとなる。
【００６０】
リモコン入力解析部１０５の解析結果が数字キーであり、そのときの２次元番組表のジャンプモードがチャンネルジャンプモードのとき、その数字キーを示す信号がチャンネル変換部１０６に入力される。チャンネル変換部１０６ではリモコン入力解析部１０５から入力された数字キーを示す信号を該当するチャンネルを示す信号に変換し、表示エリア算出部１０８へ出力する。
【００６１】
リモコン入力解析部１０５の解析結果が数字キーであり、そのときの２次元番組表のジャンプモードが時刻ジャンプモードのとき、その数字キーを示す信号が時刻変換部１０７に入力される。時刻変換部１０７ではリモコン入力解析部１０５から入力した数字キーを示す信号を該当する時刻を示す信号に変換し、表示エリア算出部１０８へ出力する。
【００６２】
リモコン入力解析部１０５の解析結果が色付きキーの青キー又は赤キーであるとき、青キー又は赤キーを示す信号が日付変換部１１１に入力される。日付変換部１１１では、青キー又は赤キーにより指定された日にジャンプする信号に変換し、表示エリア算出部１０８へ出力する。
【００６３】
なお、リモコン２００におけるユーザのキー操作が上下左右の移動方向を示す方向指定キーのとき、若しくはチャンネル変換、時刻変換、日付変換に関係せず画面表示に関連するキー入力のときには、それらを示す信号がリモコン入力解析部１０５から表示エリア算出部１０８に出力される。
【００６４】
表示エリア算出部１０８は、リモコン入力解析部１０５からのキー入力の解析結果が上下左右の移動方向を示す方向指定キーのとき、リモコン入力解析部１０５から入力された方向指定キーにより指定された方向を示す信号に基づき２次元番組表の表示エリアのスクロールの移動方向を算出する。また、表示エリア算出部１０８は、チャンネル変換部１０６、時刻変換部１０７、又は日付変換部１１１から入力されたチャンネル、時刻、又は日付を示す信号に基づき２次元番組表の表示エリアを算出する。
【００６５】
番組ガイド作成部１０９は、表示エリア算出部１０８からの算出結果に基づいて、番組情報管理部１０４からの必要な番組情報を受けて２次元番組表を作成する。表示部１１０は、デコード部１０３から入力したデコードされた映像情報及び音声情報により映像を表示し、或いは、番組ガイド作成部１０９から入力された２次元番組表を表示する。
【００６６】
［リモコン２００の構成］
図２は本発明に係る実施の形態１のＥＰＧ表示装置１００に用いられるリモコン２００の操作面を示す平面図である。リモコン２００の操作面にあるキー操作により実施の形態１のＥＰＧ表示装置１００の表示部１１０に表示された２次元番組表の表示画面が操作される。リモコン２００には、電源キー２０１、２次元番組表の指定領域を上下左右に移動するために用いられる方向指定キー２０４、設定状態や表示状態を１つ前の状態に戻すリターンキー２０５、２次元番組表を表示するための番組表キー２０３が設けられている。また、リモコン２００には、テレビのそのときの状態により、役割が変化する青キー、赤キー、緑キー、及び黄キーを有する色付きキー領域２０２と、通常チャンネルの切替えに使用される１２個の数字キー（１〜１２）を有する数字キー領域２０６が設けられている。数字キー領域２０６における１２個の数字キーのそれぞれには、１から１２までの数字が付されている。テレビ購入時の初期設定において、数字キー毎にチャンネルが割り当てられており、通常のテレビジョン放送の視聴時にチャンネルを選局したいとき、これらの数字キーを選択して押すことにより、任意のチャンネルを選局できる。さらに、実施の形態１における数字キー領域２０６の数字キーは、２次元番組表をジャンプさせるときのジャンプ先のチャンネルと時刻を入力するためにも使用される。
【００６７】
［ＥＰＧ表示装置１００の動作］
次に、リモコン２００におけるキー操作から表示部１１０において２次元番組表が切替え表示されるまでのＥＰＧ表示装置１００における各構成の動作について詳細に説明する。
【００６８】
リモコン２００においてユーザがキー操作を行ったとき、リモコン入力解析部１０５は、リモコン２００からのキー入力を示す信号から、いずれのキーが操作されたかを解析する。即ち、リモコン入力解析部１０５は、２次元番組表のカーソル位置を上下左右に１つずつ（１時間毎又は１チャンネル毎）移動させる方向指定キー２０４、２次元番組表の表示エリアを前日にする青キー、２次元番組表の表示エリアを翌日にする赤キー、２次元番組表の表示エリアの表示の拡大／縮小を行う緑キー、ジャンプモードを設定する黄キー、ジャンプモードにおいて２次元番組表における指定されたチャンネルあるいは時刻にジャンプさせる数字キー、及びその他のキーのうちのいずれのキーが操作されたかを解析する。
【００６９】
リモコン入力解析部１０５は、リモコン２００からの入力キーの解析結果が上下左右のいずれかの方向を示す方向指定キー２０４の場合、その方向指定キー２０４により指定された方向を示す信号を表示エリア算出部１０８に出力する。リモコン入力解析部１０５は、リモコン２００からの入力キーの解析結果が黄キーの場合、ジャンプモードであると判断して、そのときの２次元番組表のジャンプモードがチャンネルジャンプモード、或いは時刻ジャンプモードのいずれのジャンプモードであるのかを検出する。実施の形態１のＥＰＧ表示装置においては、黄キーの入力が１回入力されるごとにジャンプモードがチャンネルジャンプモードと時刻ジャンプモードとの間で切り替わる。
ジャンプモードがチャンネルジャンプモードの場合において、リモコン２００からの入力キーが数字キーのとき、リモコン入力解析部１０５は数字キーにより指定された数字を示す信号をチャンネル変換部１０６に出力する。一方、ジャンプモードが時刻ジャンプモードの場合において、リモコン２００からの入力キーが数字キーのとき、リモコン入力解析部１０５は数字キーにより指定された数字を示す信号を時刻変換部１０７に出力する。
【００７０】
チャンネル変換部１０６は、リモコン入力解析部１０５から入力した数字キーにより指定された数字を示す信号を該当するチャンネルを示す信号に変換する。そして、チャンネル変換部１０６は、指定されたチャンネルが２次元番組表の表示エリアにおける基準位置となるチャンネルとして表示エリア算出部１０８に出力する。例えば、数字キーで「２」がキー入力された場合、チャンネル変換部１０６は「２チャンネル」を２次元番組表の基準位置のチャンネルとする設定信号を出力する。
【００７１】
時刻変換部１０７は、リモコン入力解析部１０５から入力した数字キーにより指定された数字を示す信号を該当する時刻を示す信号に変換する。そして、時刻変換部１０７は、指定された時刻が２次元番組表の表示エリアにおける基準位置となる時刻として表示エリア算出部１０８に出力する。例えば、数字キーで「７」が入力された場合、時刻変換部１０７は、現在の２次元番組表が表示している番組欄の時刻から最も近い未来の「午前あるいは午後の７時」を２次元番組表の基準位置の時刻とする設定信号を出力する。
【００７２】
表示エリア算出部１０８は、リモコン入力解析部１０５から方向指定キーを示す信号が入力されたとき、現在２次元番組表が表示している番組欄のカーソル位置から指定された方向へ１つ（例えば１時間又は１チャンネル）だけ移動した位置を算出する。
表示エリア算出部１０８は、チャンネル変換部１０６から２次元番組表の表示エリアの基準位置となるチャンネルが入力されたとき、そのチャンネルが２次元番組表の表示の基準位置となるよう表示エリアが算出される。例えば、チャンネル軸の中央位置のチャンネルとなるように２次元番組表の表示エリアが算出される。また、表示エリア算出部１０８は、時刻変換部１０７から２次元番組表の表示エリアの基準位置となる時刻が入力されたとき、その時刻が２次元番組表の表示の基準位置となるよう表示エリアが算出される。例えば、時刻軸の一番上の時刻になるように２次元番組表の表示エリアが算出される。
【００７３】
表示エリア算出部１０８は、日付変換部１１１から２次元番組表における指定された日付を示す信号が入力されたとき、例えば、青キーが押圧されたことを示す信号が入力されたとき、２次元番組表の表示エリアを前日にする演算を行い、若しくは赤キーが押圧されたことを示す信号が入力されたとき、２次元番組表の表示エリアを翌日にする演算を行う。
そして、表示エリア算出部１０８は算出した２次元番組表の表示エリアを示す信号を番組ガイド作成部１０９に出力する。
【００７４】
番組ガイド作成部１０９は、番組情報管理部１０４が蓄積し、管理している番組情報を入力して、表示エリア算出部１０８が算出した表示エリアに適応させて２次元番組表を作成する。番組ガイド作成部１０９は、表示部１１０が現在表示している２次元番組表を新たに作成した２次元番組表に切替え表示するよう指示する。
表示部１１０は、現在表示している２次元番組表を、番組ガイド作成部１０９から入力された新たな２次元番組表に切替えて表示する。
【００７５】
［ＥＰＧ表示装置１００による２次元番組表］
次に、図３と図４を用いて本発明に係る実施の形態１のＥＰＧ表示装置１００が作成し、表示する２次元番組表について具体的に説明する。
【００７６】
図３は、表示部１１０に表示された電子番組ガイド（ＥＰＧ）の具体的な表示画面を示す図であり、チャンネルジャンプモードのときの図である。ユーザがリモコン２００の番組表キー２０３（図２参照）を押すことにより、通常のテレビ視聴状態から図３に示す電子番組ガイド（ＥＰＧ）が表示される。この電子番組ガイド（ＥＰＧ）は２次元番組表であり、横方向にチャンネルが配置され、縦方向に時刻が配置されている。２次元番組表においては、各チャンネルのチャンネル描画エリア３０１に、リモコン２００における数字キー領域２０６における各数字キーに対応する数字が描画されている。
【００７７】
図４は、表示部１１０に表示された電子番組ガイド（ＥＰＧ）の具体的な表示画面を示す図であり、時刻ジャンプモードのときの図である。横方向にチャンネルが配置され、縦方向に時刻が配置されている。この時刻ジャンプモードの表示画面においては、数字キー領域２０６の数字キーの数字がそのまま時刻に置き換わったように扱われる。この２次元番組表の時刻表示欄においては、各時刻の時刻描画エリア４０１に、リモコン２００における数字キー領域２０６における各数字キーに対応する数字が描画されている。
【００７８】
実施の形態１のＥＰＧ表示装置により表示された２次元番組表においては、図３に示すように、数字キー領域２０６の数字キーのキー操作によりチャンネル軸方向にそってチャンネルをジャンプすることができる。また、図４に示すように数字キー領域２０６の数字キーのキー操作によって時刻軸方向そって時刻をジャンプすることができる。
【００７９】
図３に示したチャンネルジャンプモードと図４に示した時刻ジャンプモードとのジャンプモードの切替えは、色付きキー領域２０２の黄キーを押す毎に切り替わるよう設定されている。
表示画面が時刻ジャンプモードにおいては、通常チャンネルに割り当てられている１から１２までの数字キーを午前あるいは午後の１時から１２時までの時刻にあてはめて用いられる。時刻ジャンプモードにおける２次元番組表の表示画面においては、〈時刻ジャンプモード〉であることが表示され、縦方向の時刻軸にそった時刻表示欄における各時刻の時刻描画エリア４０１に、対応する数字キーの数字が表示されている。
【００８０】
リモコン２００の数字キー領域２０６の数字キーが押されたとき、現在表示している時刻から一番近い未来の時刻へ時刻ジャンプする。図４に示した表示画面で説明すると、現在表示中の時刻（最上段の時刻）が２０時（午後８時）である状態において、数字キーの「７」が押された場合、「翌日の午前７時」の時刻にジャンプする。さらに数字キーの「７」が押された場合には、「翌日の午後７時」に時刻ジャンプする。このように、本発明に係る実施の形態１のＥＰＧ表示装置により表示された２次元番組表においては、閲覧目標時刻が現在から１２時間までの未来であれば数字キーの１回の操作により、また閲覧目標時刻が１３時間後から２４時間後までの未来であっても数字キーの２回の操作により必ずユーザが閲覧したい時刻を含む表示画面にジャンプすることが可能となる。
【００８１】
［２次元番組表の作成と表示］
次に、図５を用いて本発明に係る実施の形態１のＥＰＧ表示装置１００による２次元番組表の作成と表示のフローについて説明する。
【００８２】
図５は、実施の形態１のＥＰＧ表示装置１００により電子番組ガイド（ＥＰＧ）を表示し、表示エリアをユーザが求める表示内容に切替えるフローチャートである。
【００８３】
まず、ユーザがリモコン２００の番組表キー２０３を押すことにより、ＥＰＧ表示装置１００に対して番組表キー入力の信号が入力される。この結果、ＥＰＧ表示装置１００の表示部１１０に図３に示した２次元番組表が表示される（Ｓ５０１）。
【００８４】
次に、ユーザがリモコン２００の色付きキー領域２０２の黄キーを押すことにより、黄キー入力の信号がＥＰＧ表示装置１００に入力されて、ジャンプモードがチャンネルジャンプモードか時刻ジャンプモードのいずれかに設定される（Ｓ５０２）。図３に示したように、ジャンプモードの初期設定はチャンネルジャンプモードになっている。したがって、黄キー入力が再度入力されない限り、表示画面はチャンネルジャンプモードが保持される。初期画面のチャンネルジャンプモードにおいて、１回の黄キー入力があれば表示画面は図４に示した時刻ジャンプモードに切替る。更に、黄キー入力が行われる度に、チャンネルジャンプモードと時刻ジャンプモードとの間で順次切替る。
【００８５】
ステップＳ５０３において、リモコン入力解析部１０５はリモコン２００から入力された入力キーが数字キーであるか否かを解析し、入力キーが数字キーの場合、ステップ５０２において設定したジャンプモードが時刻ジャンプモードであるか否かを確認する（Ｓ５０４）。
【００８６】
ジャンプモードが時刻ジャンプモードの場合、リモコン入力解析部１０５は解析された数字キーの数字を示す信号を時刻変換部１０７に出力する。時刻変換部１０７は、入力された数字キーの数字を示す信号を、時刻を示す信号に変換する（Ｓ５０５）。時刻変換部１０７が変換した時刻を示す信号は、表示エリア算出部１０８に出力される。表示エリア算出部１０８は、入力された時刻を示す信号に基づき２次元番組表の表示エリアを算出する（Ｓ５０６）。表示エリア算出部１０８は算出した表示エリアを番組ガイド作成部１０９に出力し、番組ガイド作成部１０９は表示部１１０において表示されている２次元番組表の切替え表示を行う（Ｓ５０７）。
【００８７】
例えば、図４に示した２次元番組表のように、時刻ジャンプモードの状態において、現在表示中の時刻が２０時（午後８時）で数字キーの「７」が押された場合、リモコン入力解析部１０５は、リモコン２００から入力された数字キーの数字が「７」であり、ジャンプモードが時刻ジャンプモードあることを確認する。そして、リモコン入力解析部１０５は数字キーの「７」を示す信号を時刻変換部１０７に出力する。時刻変換部１０７は、入力された数字キーの「７」を示す信号を「翌日の午前７時の時刻」を示す信号に変換する。時刻変換部１０７は、変換した「翌日の午前７時の時刻」を示す信号を表示エリア算出部１０８に出力し、表示エリア算出部１０８は、入力された「翌日の午前７時の時刻」を示す信号を基に２次元番組表の表示エリアを算出する。表示エリア算出部１０８は算出した表示エリアを番組ガイド作成部１０９に出力し、番組ガイド作成部１０９は表示部１１０で表示されている２次元番組表の切替え表示を行う。
【００８８】
ステップ５０４において、ジャンプモードが時刻ジャンプモードでない場合、つまり、チャンネルジャンプモードの場合、リモコン入力解析部１０５は解析された数字キーの数字を示す信号をチャンネル変換部１０６に出力する。チャンネル変換部１０６は、入力された数字キーの数字を示す信号を、該当チャンネルを示す信号に変換する（Ｓ５０８）。チャンネル変換部１０６は変換した該当チャンネルを示す信号を表示エリア算出部１０８に出力し、表示エリア算出部１０８は入力された該当チャンネルを示す信号に基づき２次元番組表の表示エリアを算出する（Ｓ５０９）。表示エリア算出部１０８は、算出した表示エリアを番組ガイド作成部１０９に出力し、番組ガイド作成部１０９は表示部１１０において表示されている２次元番組表の切替え表示を行う（Ｓ５０７）。
【００８９】
ステップ５０３において、リモコン２００からの入力キーが数字キーではない場合、リモコン入力解析部１０５はリモコン２００から入力された入力キーが方向指定キー２０４であるか否かを解析する（Ｓ５１０）。入力キーが方向指定キー２０４の場合、リモコン入力解析部１０５は方向指定キーで指定された方向及び移動量を示す信号を表示エリア算出部１０８に出力する。表示エリア算出部１０８は、方向指定キー２０４により指定された上下左右のいずれかの方向を示す信号及び移動量に基づき、２次元番組表の表示エリアを算出する（Ｓ５１１）。表示エリア算出部１０８は、算出した表示エリアにおける指定領域の移動方向及び移動量を示す信号を番組ガイド作成部１０９に出力する。番組ガイド作成部１０９は表示部１１０において表示されている２次元番組表の切替え表示を行い、指定領域を指定された方向へ移動させる（Ｓ５０７）。
【００９０】
ステップ５１０において、入力キーが上下左右方向を示す方向指定キー２０４でない場合には、入力キーが色付きキー領域２０２の青キー又は赤キーであるか否かが判定される（Ｓ５１２）。青キーであれば表示画面を前日にジャンプさせるために指定日付の表示エリアを算出し、赤キーであれば表示画面を翌日にジャンプさせるために指定日付の表示エリアを算出する（Ｓ５１３）。
ステップ５１２において、入力キーが色付きキー領域２０２の青キー又は赤キーでない場合、リモコン入力解析部１０５は入力キーがリモコン２００の通常操作であると判定する（Ｓ５１４）。
【００９１】
前記のように構成された本発明に係る実施の形態１のＥＰＧ表示装置では、番組表表示において黄キーが押されたとき瞬時にジャンプモードに移行し、チャンネルジャンプモード又は時刻ジャンプモードへの設定が行われる。実施の形態１のＥＰＧ表示装置においては、ジャンプモードにおいて数字キーが入力されると、そのときのジャンプモード（チャンネルジャンプモード又は時刻ジャンプモード）の状態に応じて数字キーが表示する数字に対応したチャンネル又は時刻を示す番組表表示となる。したがって、本発明に係る実施の形態１のＥＰＧ表示装置においては、上下左右の方向を示すいずれかのキーを押し続けることにより表示エリアを所望の方向へスクロールさせるという従来の電子番組ガイド表示装置おいて煩雑であった操作が不要となり、ユーザが求める番組を簡単な操作で瞬時に画面表示可能となる。
【００９２】
また、実施の形態１のＥＰＧ表示装置において、表示エリア算出部１０８で保持しているジャンプモードが時刻ジャンプモードの場合、リモコン２００の数字キー領域２０６における数字キーが入力されたとき、数字キー入力の時刻変換部１０７で表示時刻を決定することにより、時刻軸にそった時刻ジャンプが可能となる。したがって、実施の形態１のＥＰＧ表示装置の構成によれば、上下左右の移動方向を示すキーを用いて表示エリアをスクロールさせて所望の時刻まで移動させる煩雑さを解消することができる。
【００９３】
なお、実施の形態１のＥＰＧ表示装置においては、ジャンプモードを黄キーで設定する構成としたが、その他のキー操作によりジャンプモードを設定する構成としてもよい。若しくは、新たにジャンプモード設定キーをリモコン２００に新たに設ける構成としてもよい。
【００９４】
実施の形態１ではジャンプモードにおけるチャンネルジャンプモードと時刻ジャンプモードを黄キーのキー操作により設定する構成例で説明したが、本発明はこのような構成に限定されるものではない。例えば、ジャンプモードを管理する表示エリア算出部１０８では方向指定キー２０４が操作されたことが検知されるため、上下方向に時刻を移動させた後は、時刻ジャンプモードに移行し、左右方向にチャンネルを移動させた後は、チャンネルジャンプモードに移行する構成とすることも可能である。このように、本発明に係る実施の形態１のＥＰＧ表示装置においては、上下左右方向への表示画面のスクロール操作により、自動的にジャンプモードを切替える構成とすることが可能である。
【００９５】
なお、本発明はデジタル放送だけでなくアナログ放送でも番組情報が多重化されており、番組ガイドを表示可能なシステムであれば適用可能である。
また、テレビジョン放送以外にもインターネット経由で番組ガイドの情報を取得した場合においても適用可能であり、本発明は電子番組ガイドの取得方法に限らず２次元番組表を表示可能なシステムであれば適応できる。
【００９６】
実施の形態２
以下、図６から図８を用いて本発明に係る実施の形態２の電子番組ガイド表示装置（以降、ＥＰＧ表示装置と略称）６００について説明する。
【００９７】
図６は本発明に係る実施の形態２のＥＰＧ表示装置の構成を示すブロック図である。ＥＰＧ表示装置６００は、電子番組ガイド（ＥＰＧ）である２次元番組表の画面表示において、時刻軸にそってスクロールさせる煩雑さを解消するためになされたものであり、リモートコントロールユニット（以降、リモコンと略称）２００における少ないキー操作により、２次元番組表における時刻軸及びチャンネル軸にそってジャンプして目的の番組へ瞬時に移動できる構成を有している。図７は、表示部６１０に表示された電子番組ガイド（ＥＰＧ）の具体的な表示画面を示す図であり、２次元番組表上に重ねて時刻ジャンプパネル７０１が表示されているときの図である。
【００９８】
実施の形態２のＥＰＧ表示装置６００は、前述の実施の形態１において説明したリモコン２００と実質的に同じ構成のものにより操作され、実施の形態２において同じ構成を有するものには同じ符号を付し、その説明は省略する。
実施の形態２のＥＰＧ表示装置６００においては、上下左右の方向を示す方向指定キー２０４が、２次元番組表のカーソル移動以外に、２次元番組表をジャンプさせるときのジャンプ先の時刻を入力するために使用される。
【００９９】
［ＥＰＧ表示装置６００の構成］
実施の形態２のＥＰＧ表示装置６００は、受信部６０１、多重化分離部６０２、デコード部６０３、番組情報管理部６０４、リモコン入力解析部６０５、チャンネル変換部６０６、時刻変換部６０７、表示エリア算出部６０８、番組ガイド作成部６０９、及び表示部６１０を有している。
【０１００】
実施の形態２のＥＰＧ表示装置６００において、受信部６０１はデジタル放送の多重化されたストリームを受信する。多重化分離部６０２は受信部６０１から入力された多重化されたストリームをデジタル映像情報、デジタル音声情報、及びサービス情報としての番組情報に分離する。また、番組情報には、番組内容を示す情報、チャンネル情報、時刻情報等が含まれる。デコード部６０３は多重化分離部６０２から入力されたデジタル映像情報、デジタル音声情報をデコードする。番組情報管理部６０４は多重化分離部６０２において分離された情報から番組情報を取り出し、全チャンネルの全時間帯における番組情報を蓄積し、管理する。
【０１０１】
リモコン２００との間を信号伝送可能に接続されたリモコン入力解析部６０５は、
ユーザがキー操作したリモコン２００からのキー入力信号を解析し、その解析結果に基づき、キー入力信号の出力先を選択する。即ち、リモコン入力解析部６０５は、リモコン２００における入力キーの種類及び２次元番組表に後述する時刻ジャンプパネル７０１（図７参照）が表示されているか否かを解析して、その出力先を決定する。
【０１０２】
リモコン入力解析部６０５の解析結果が数字キーのとき、チャンネル変換部６０６は、リモコン入力解析部６０５から入力した数字キーの数字を示す信号を、該当するチャンネルを示す信号に変換する。
リモコン入力解析部６０５の解析結果が方向指定キーであり、且つ、時刻ジャンプパネル７０１が表示されているとき、時刻変換部６０７は、リモコン入力解析部６０５から入力した方向指定キーが示す信号を該当する時刻を示す信号に変換する。
【０１０３】
なお、リモコン２００におけるユーザのキー操作が上下左右の移動方向を示す方向指定キーのとき、若しくはチャンネル変換や時刻変換に関係せず画面表示に関連するキー入力のときには、それらを示す信号がリモコン入力解析部６０５から表示エリア算出部６０８に出力される。
【０１０４】
表示エリア算出部６０８は、リモコン入力解析部６０５の解析結果が方向指定キーであり、且つ、時刻ジャンプパネル７０１が表示されていないとき、リモコン入力解析部６０５から入力した方向指定キーにより指定された方向に基づき２次元番組表の表示エリアのスクロール方向を算出する。また、表示エリア算出部６０８は、チャンネル変換部６０６又は時刻変換部６０７から入力されたチャンネル又は時刻を示す信号に基づき２次元番組表の表示エリアを算出する。
【０１０５】
番組ガイド作成部６０９は表示エリア算出部６０８からの算出結果に基づいて、番組情報管理部６０４からの必要な情報を受けて２次元番組表を作成する。表示部６１０は、デコード部６０３から入力したデコードされた映像情報及び音声情報により映像を表示し、或いは、番組ガイド作成部６０９から入力された２次元番組表を表示する。
【０１０６】
［ＥＰＧ表示装置６００の動作］
次に、リモコン２００におけるキー操作から表示部６１０において２次元番組表が切替え表示されるまでのＥＰＧ表示装置６００における各構成の動作について詳細に説明する。
【０１０７】
リモコン２００においてユーザがキー操作を行ったとき、リモコン入力解析部６０５は、リモコン２００からのキー入力を示す信号から、いずれのキーが操作されたかを解析する。即ち、リモコン入力解析部６０５は、キー入力の種類が、時刻ジャンプパネル７０１を表示するための黄キー、２次元番組表のカーソル位置を１つずつ（１時間毎又は１チャンネル毎）移動させるための方向指定キー、時刻をジャンプさせるための方向指定キー、２次元番組表でチャンネルをジャンプさせるための数字キー、時刻ジャンプパネル７０１を消すためのリターンキー、及びその他のキーにおけるいずれのキー信号が入力されたかを解析する。
【０１０８】
リモコン２００からの入力キーの解析結果が黄キーである場合、リモコン入力解析部６０５は、表示エリア算出部６０８経由で番組ガイド作成部６０９に黄キーの入力を知らせる。黄キーの入力を知らされた番組ガイド作成部６０９は、２次元番組表の表示画面上に重ねて時刻ジャンプパネル７０１（図７参照）を表示させる。
【０１０９】
リモコン２００からの入力キーの解析結果が方向指定キーであり、且つ、２次元番組表上に時刻ジャンプパネル７０１が表示されている場合、リモコン入力解析部６０５は、方向指定キーにより指定された方向を示す信号を時刻変換部６０７に出力する。なお、表示画面上に時刻ジャンプパネル７０１が表示されていない場合、リモコン入力解析部６０５は、方向指定キーにより指定された方向を示す信号を、そのまま表示エリア算出部６０８に出力する。
【０１１０】
時刻変換部６０７は、リモコン入力解析部６０５から入力した方向指定キーにより指定された方向を示す信号を、該当する時刻を示す信号に変換する。変換された時刻が２次元番組表の表示の基準位置になる時刻として、表示エリア算出部６０８にその信号が出力される。例えば、方向指定キーにより「右方向」が入力された場合、現在２次元番組表が表示している番組欄の時刻から最も近い未来の「午前又は午後の３時」を２次元番組表の基準位置の時刻となるよう設定される。
【０１１１】
表示エリア算出部６０８は、リモコン入力解析部６０５から方向指定キーを示す信号が入力されたとき、現在２次元番組表が表示している番組欄のカーソル位置を上下左右の指定された方向へ１つ移動（１時間単位又は１チャンネル単位の移動）した表示エリアを算出する。チャンネル変換部６０６から２次元番組表の表示の基準位置となるチャンネルを示す信号が入力されたとき、そのチャンネルが２次元番組表の表示の基準位置となるよう表示エリアが算出される。例えば、指定されたチャンネルが表示エリアのチャンネル軸における中央位置のチャンネルとなるように２次元番組表の表示エリアが算出される。また、表示エリア算出部６０８は、時刻変換部６０７から２次元番組表の表示エリアの時間軸における基準位置となる時刻が入力されたとき、その時刻が２次元番組表の表示の基準位置となるよう表示エリアが算出される。例えば、指定された時刻が時刻軸の一番上の時刻になるように２次元番組表の表示エリアが算出される。そして、表示エリア算出部６０８は算出した２次元番組表の表示エリアを示す信号を番組ガイド作成部６０９に出力する。
【０１１２】
番組ガイド作成部６０９は、番組情報管理部６０４が蓄積し、管理している番組情報を入力して、表示エリア算出部６０８が算出した表示エリアに適応させて２次元番組表を作成する。番組ガイド作成部６０９は、表示部６１０が現在表示している２次元番組表を新たに作成した２次元番組表に切替え表示するよう指示する。
表示部６１０は、現在表示している２次元番組表を、番組ガイド作成部６０９から入力された新たな２次元番組表に切替えて表示する。
【０１１３】
［ＥＰＧ表示装置６００による２次元番組表］
次に、図７を用いて本発明に係る実施の形態２のＥＰＧ表示装置６００が作成し、表示する２次元番組表について具体的に説明する。
図７は、表示部６１０に表示された電子番組ガイド（ＥＰＧ）の具体的な表示画面を示す図である。図７は、電子番組ガイド（ＥＰＧ）である２次元番組表の表示画面上に、時刻ジャンプパネル７０１が重ねて表示されたときの図である。
【０１１４】
図７に示すように、時刻ジャンプパネル７０１にはリモコン２００の方向指定キー２０４の形と同様の方向指定キー７０２が表示されている。この方向指定キー７０２はアナログ時計を模したものであり、上下左右に時刻が表示されている。即ち、実施の形態２においては、リモコン２００における円形の方向指定キー２０４がアナログ時計の形を連想できることを利用している。時刻ジャンプパネル７０１の方向指定キー７０２に示すように、リモコン２００の方向指定キー２０４における上下左右の方向が時計の短針の示す時刻を示している。具体的には、上方向キーが「午前あるいは午後０時」、右方向キーが「午前あるいは午後３時」、下方向キーが「午前あるいは午後６時」、左方向キーが「午前あるいは午後９時」を示す。
【０１１５】
したがって、時刻ジャンプパネル７０１はリモコンガイドの役割を果たしている。また、時刻ジャンプパネル７０１には、リモコン２００と同じ位置にリターンキー７０３が表示されており、リモコン２００のリターンキー２０５が押されたとき、時刻ジャンプパネル７０１は表示画面上から消滅する。
【０１１６】
前記のように本発明に係る実施の形態２のＥＰＧ表示装置において、方向指定キー２０４は、２次元番組表のカーソルを１つずつ（１時間毎又は１チャンネル毎）指定された方向へ移動させる機能だけでなく、図７に示す時刻ジャンプパネル７０１の表示中において、リモコン２００の黄キーにより時刻軸方向にそって時刻ジャンプできる機能を有している。実施の形態２において、時刻ジャンプパネル７０１が表示されてから５秒間の間は、方向指定キー２０４の入力を待つ状態であり、もし５秒間の間に方向指定キー２０４の入力がなければ時刻ジャンプパネル７０１は表示画面から消滅する。時刻ジャンプパネル７０１が表示されてから５秒間の間に方向指定キー２０４により時刻を指定する入力があった場合には、時刻ジャンプを実行する。そして、その時刻ジャンプの実行から５秒間の間は方向指定キー２０４の入力を待つ状態となり、さらなる未来へ時刻ジャンプが実行できる状態となる。
【０１１７】
方向指定キー２０４により目的の日時まで移動できた場合には、時刻ジャンプパネル７０１が２次元番組表の閲覧の邪魔になるため、リターンキー２０５を押すことにより時刻ジャンプパネル７０１を消すことができる。
【０１１８】
リモコン２００の方向指定キー２０４が押されたときは、現在表示している時刻から一番近い未来の時刻へ時刻ジャンプする。図７に示した表示画面を例に説明すると、現在表示中の時刻が２０時（午後８時）である状態において、方向指定キー２０４の下方向キーが操作された場合、「翌日の午前６時」の時刻にジャンプする。さらに方向指定キー２０４の下方向キーが操作された場合、「翌日の午後６時」に時刻ジャンプする。このようにキー操作することができるため、実施の形態２のＥＰＧ表示装置６００による電子番組ガイド（ＥＰＧ）では、通常のスクロールに利用している方向指定キー２０４を用いることにより、ユーザが閲覧したい目標時刻が最大１２時間までの未来の時刻であれば、方向指定キー２０４の１回の入力により、目標時刻が含まれる番組表までジャンプすることができる。また、目標時刻が最小１３時間後から最大２４時間後までの未来の時刻であっても、方向指定キー２０４の２回の入力により、目標時刻が含まれる番組表までジャンプすることができる。
【０１１９】
［２次元番組表の作成と表示］
次に、図８を用いて本発明に係る実施の形態２のＥＰＧ表示装置６００による電子番組ガイド（ＥＰＧ）の作成と表示のフローについて説明する。
図８は、実施の形態２のＥＰＧ表示装置６００により電子番組ガイド（ＥＰＧ）である２次元番組表を表示し、表示エリアをユーザが求める表示内容に切替えるフローチャートである。
【０１２０】
まず、ユーザがリモコン２００の番組表キー２０３（図２参照）を押すことにより、ＥＰＧ表示装置６００に対して番組表キー入力の信号が入力される。この結果、ＥＰＧ表示装置６００の表示部６１０に２次元番組表が表示される（Ｓ８０１）。
【０１２１】
２次元番組表が表示された状態において、リモコン２００の色付きキー領域２０２における黄キーの操作により時刻ジャンプパネル７０１の表示を設定し、若しくはリターンキー２０５の操作により時刻ジャンプパネル７０１の非表示を設定する（Ｓ８０２）。
【０１２２】
番組表キー入力により最初に２次元番組表が表示されたときには時刻ジャンプパネル７０１は表示されておらず、黄キーのキー入力を行うことにより、図７に示したように時刻ジャンプパネル７０１が表示される。また、時刻ジャンプパネル７０１が表示中においては、リモコン２００のリターンキー２０５の操作により時刻ジャンプパネル７０１を消すことができる。
【０１２３】
２次元番組表が表示された状態において、リモコン入力解析部６０５はリモコン２００から入力されたキーの種類が方向指定キー２０４であるか否かを解析する（Ｓ８０３）。入力キーが方向指定キー２０４の場合、ステップ８０２において設定した時刻ジャンプパネル７０１が表示中であるか否かが確認される（Ｓ８０４）。時刻ジャンプパネル７０１が表示されているとき、リモコン入力解析部６０５は方向指定キー２０４により指定された方向を示す信号を時刻変換部６０７に出力する。時刻変換部６０７は、入力された方向を示す信号を該当する時刻を示す信号に変換する（Ｓ８０５）。時刻変換部６０７において変換された時刻を示す信号は、表示エリア算出部６０８に出力される。表示エリア算出部６０８は、入力された時刻を示す信号に基づき２次元番組表の表示エリアを算出する（Ｓ８０６）。表示エリア算出部６０８は算出した表示エリアを番組ガイド作成部６０９に出力する。番組ガイド作成部６０９は表示部６１０で表示されている２次元番組表の切替え表示を行う（Ｓ８０７）。
【０１２４】
例えば、図７に示した２次元番組表のように、時刻ジャンプパネル７０１が表示されているとき、現在表示中の時刻が２０時（午後８時）であり、方向指定キー２０４の下方向キーが押された場合、リモコン入力解析部６０５は入力された入力キーが方向指定キー２０４の下方向キーであることを確認し、且つ時刻ジャンプパネル表示中であることを確認する。そして、リモコン入力解析部６０５は下方向キーを示す信号を時刻変換部６０７に出力し、時刻変換部６０７は入力された下方向キーを示す信号を「翌日の午前６時」の時刻を示す信号に変換する。時刻変換部６０７は変換した「翌日の午前６時」の時刻を示す信号を表示エリア算出部６０８に出力する。表示エリア算出部６０８は入力した「翌日の午前６時」の時刻を示す信号に基づき２次元番組表の表示エリアを算出する。表示エリア算出部６０８は算出した表示エリアを番組ガイド作成部６０９に出力し、番組ガイド作成部６０９は表示部６１０で表示されている２次元番組表の切替え表示を行う。
【０１２５】
ステップ８０４において、時刻ジャンプパネル７０１が表示されていない場合、つまり、電子番組ガイドである２次元番組表の通常の表示状態においては、リモコン入力解析部６０５は方向指定キー２０４により指定された方向及び移動量を表示エリア算出部６０８に出力する。表示エリア算出部６０８は、方向指定キー２０４により指定された方向及び移動量に基づき２次元番組表の表示エリアを算出する（Ｓ８０８）。表示エリア算出部６０８は算出した表示エリアの移動方向と移動量を番組ガイド作成部６０９に出力する。表示エリアの移動方向と移動量が入力された番組ガイド作成部６０９は、表示部６１０において表示されている２次元番組表の切替え表示を行う（Ｓ８０７）。
【０１２６】
ステップ８０３において入力キーが方向指定キー２０４でない場合、リモコン入力解析部６０５はリモコン２００から入力された入力キーが数字キーであるか否かを解析する（Ｓ８０９）。入力キーが数字キーの場合、数字キーの数字を示す信号をチャンネル変換部６０６に出力する。チャンネル変換部６０６は入力された数字キーの数字を示す信号を、チャンネルを示す信号に変換する（Ｓ８１０）。チャンネル変換部６０６が変換したチャンネルを示す信号を、表示エリア算出部６０８に出力する。表示エリア算出部６０８は、入力されたチャンネルを示す信号に基づき、２次元番組表の表示エリアを算出する（Ｓ８１１）。表示エリア算出部６０８は算出した表示エリアを番組ガイド作成部６０９に出力し、番組ガイド作成部６０９は表示部６１０において表示されている２次元番組表の切替えを行う（Ｓ８０７）。
【０１２７】
ステップ８０９において、入力キーが数字キーでない場合、入力キーが色付きキー領域２０２の青キー又は赤キーであるかが判断される（Ｓ８１２）。青キーであれば表示画面を前日にジャンプさせるために指定日付の表示エリアを算出し、赤キーであれば表示画面を翌日にジャンプさせるために指定日付の表示エリアを算出する（Ｓ８１３）。
ステップ８１２において、入力キーが色付きキー領域２０２の青キー又は赤キーでない場合、リモコン入力解析部６０５は入力キーがリモコン２００の通常操作であると判定する（Ｓ８１４）。
【０１２８】
前記のように構成された本発明に係る実施の形態２のＥＰＧ表示装置では、時刻ジャンプパネル７０１を表示した状態において、リモコン２００の方向指定キー２０４により方向を示すキー入力があったとき、時刻のジャンプの番組表表示が可能となる。したがって、本発明に係る実施の形態２のＥＰＧ表示装置においては、上下左右の方向を示すいずれかのキーを押し続けることにより表示エリアを所望の方向へスクロールさせるという従来の電子番組ガイド表示装置おいて煩雑であった操作が不要となり、ユーザが求める番組を簡単な操作で瞬時に時刻ジャンプして所望の画面表示が可能となる。
【０１２９】
なお、実施の形態２のＥＰＧ表示装置においては、時刻ジャンプパネル７０１を黄キー操作により表示する構成で説明したが、その他のキー操作により時刻ジャンプパネル７０１を表示する構成としてもよい。また、時刻ジャンプパネル７０１の表示のみを行うキーをリモコン２００に新たに設ける構成としてもよい。
【０１３０】
実施の形態２のＥＰＧ表示装置においては、時刻ジャンプパネル７０１を２次元番組表のテレビ欄に重ねて大きく表示した例で説明したが、テレビ欄と重ならない場所に表示してもよい。あるいは、時刻ジャンプパネル７０１を半透明の表示とし、時刻ジャンプパネル７０１の操作中でもテレビ欄の閲覧が可能な構成としてもよい。
【０１３１】
実施の形態２のＥＰＧ表示装置においては、時刻ジャンプパネル７０１がその時点から一番近い未来の時刻へジャンプする構成であるが、例えば、現在表示中の日の中でのみジャンプする構成としてもよい。即ち、現在表示中の日時が３０日の午前７時ならば、時刻ジャンプパネル７０１が表示中に左方向キーが押されるたびに、３０日午前９時→３０日午後９時→３０日午前９時→３０日午後９時と、同じ３０日内で午前９時と午後９時の番組表が順番に繰り返して表示される構成としてもよい。
【０１３２】
なお、リモコン２００の色付きキー領域２０２などに日付移動の機能が備わっている２次元番組ガイド（ＥＰＧ）においては、日付移動したときは必ず時刻ジャンプパネル７０１を表示する構成としてもよい。
【０１３３】
実施の形態２のＥＰＧ表示装置においては、リモコン２００の方向指定キー２０４による上下左右の方向を示すキーにより２次元番組表を表示する時刻を決定する構成としたが、本発明のＥＰＧ表示装置においては３６０度回転する回転キーを用いることもできる。その場合、回転キーの回転角度で２次元番組表を表示する時刻を決定することができる。例えば、３６０度を１２時間と考え、０時（１２時）の位置から３０度回転させる毎に１時、２時、３時と時刻が変化する構成としてもよい。
【０１３４】
また、本発明のＥＰＧ表示装置において、３６０度回転する回転キーを用いた場合、回転キーの示す回転角度を、現在表示している２次元番組表の番組から進んだ時間とすることも可能である。その場合は、例えば、回転キーを３６０度回転させたとき、１２時後の２次元番組表の表示となる。そして、３０度回転させる毎に１時間後、２時間後、３時間後と現在表示の時刻から未来へ進む構成としてもよい。また、回転キーを逆方向に回転させると、３０度回転させる毎に１時間前、２時間前、３時間前と現在表示の時刻から過去へ戻る構成としてもよい。
【０１３５】
実施の形態３
以下、図９から図１１を用いて本発明に係る実施の形態３の電子番組ガイド表示装置（以降、ＥＰＧ表示装置と略称）９００について説明する。
【０１３６】
図９は本発明に係る実施の形態３のＥＰＧ表示装置９００の構成を示すブロック図である。ＥＰＧ表示装置９００は、２次元番組表の画面表示において、時刻軸にそってスクロールさせる煩雑さを解消するためになされたものであり、リモートコントロールユニット（以降、リモコンと略称）２００における少ないキー操作により、２次元番組表における時刻軸及びチャンネル軸にそってジャンプして目的の番組へ瞬時に移動できる構成を有している。
【０１３７】
図１０は、実施の形態３のＥＰＧ表示装置９００における表示部９１０に表示された電子番組ガイド（ＥＰＧ）の具体的な表示画面を示す図であり、２次元番組表上に重ねて日時入力パネル１００１が表示されているときの図である。
実施の形態３のＥＰＧ表示装置９００は、前述の実施の形態１において説明したリモコン２００と同じ構成のものにより操作され、実施の形態３において同じ構成を有するものには同じ符号を付し、その説明は省略する。
【０１３８】
実施の形態３のＥＰＧ表示装置９００においては、リモコン２００の数字キー領域２０６の数字キーが、２次元番組表のチャンネル軸にそったジャンプを行うためのキー入力以外に、時間軸にそったジャンプを行うために、ジャンプ先の日時を入力するために使用される。
【０１３９】
［ＥＰＧ表示装置９００の構成］
実施の形態３のＥＰＧ表示装置９００は、受信部９０１、多重化分離部９０２、デコード部９０３、番組情報管理部９０４、リモコン入力解析部９０５、チャンネル変換部９０６、日時変換部９０７、表示エリア算出部９０８、番組ガイド作成部９０９、及び表示部９１０を有している。
【０１４０】
実施の形態３のＥＰＧ表示装置９００において、前述の実施の形態１又は実施の形態２と同様に受信部９０１はデジタル放送の多重化されたストリームを受信する。多重化分離部９０２は受信部９０１から入力した多重化されたストリームを任意のデジタル映像情報、デジタル音声情報、及びサービス情報としての番組情報に分離する。また、番組情報には、番組内容を示す情報、チャンネル情報、時刻情報等が含まれる。デコード部９０３は多重化分離部９０２から入力したデジタル映像情報、デジタル音声情報をデコードする。番組情報管理部９０４は多重化分離部９０２において分離されたサービス情報から番組情報を取り出し、全チャンネルの全時間帯における番組情報を蓄積し、管理する。
【０１４１】
リモコン２００との間が信号伝送可能に接続されたリモコン入力解析部９０５は、ユーザがキー操作したリモコン２００からのキー入力信号を解析し、その解析結果に基づき、キー入力信号の出力先を選択する。即ち、リモコン入力解析部９０５は、入力キーの種類及び２次元番組表の時刻軸にそってジャンプさせるための日時入力パネル１００１（後述）が表示されているか否かにより出力先を選択する。
【０１４２】
リモコン入力解析部９０５の解析結果が数字キーであり、且つ、後述する日時入力パネル１００１が非表示のとき、チャンネル変換部９０６はリモコン入力解析部９０５から入力した数字キーが示す信号を、該当するチャンネルが示す信号に変換する。一方、リモコン入力解析部９０５の解析結果が数字キーであり、且つ、日時入力パネル１００１が表示中であるとき、日時変換部９０７はリモコン入力解析部９０５から入力した数字キーを示す信号を、指定された日時を示す信号に変換する。
【０１４３】
リモコン入力解析部９０５の解析結果が方向指定キーであり、且つ、日時入力パネル１００１が表示されていないとき、表示エリア算出部９０８は、リモコン入力解析部９０５から入力した方向指定キーにより指定された方向に２次元番組表の表示エリアのスクロール方向を決定し、その位置を算出する。若しくは、表示エリア算出部９０８は、チャンネル変換部９０６又は日時変換部９０７から入力されたチャンネル又は日時を示す信号に基づき２次元番組表の表示エリアを算出する。
番組ガイド作成部９０９は、表示エリア算出部９０８からの算出結果に基づいて、番組情報管理部９０４からの必要な情報を受けて２次元番組表を作成する。表示部９１０は、デコード部９０３から入力したデコードされた映像情報及び音声情報により映像を表示し、或いは、番組ガイド作成部９０９から入力された２次元番組表を表示する。
【０１４４】
［ＥＰＧ表示装置９００の動作］
次に、リモコン２００におけるキー操作から表示部９１０において２次元番組表が切替え表示されるまでのＥＰＧ表示装置９００における各構成の動作について詳細に説明する。
【０１４５】
リモコン２００においてユーザがキー操作を行ったとき、リモコン入力解析部９０５は、リモコン２００からのキー入力を示す信号から、いずれのキーが操作されたかを解析する。即ち、リモコン入力解析部９０５は、キー入力の種類が、日時入力パネル１００１を表示するための黄キー、２次元番組表のカーソル位置を１つずつ（１時間毎又は１チャンネル毎）移動させるための方向指定キー、２次元番組表でチャンネル軸にそってジャンプさせるための数字キー、日時入力パネル１００１に日時を入力するための数字キー、日時入力パネル１００１を消すためのリターンキー、及びその他のキーにおけるいずれのキー信号が入力されたかを解析する。
【０１４６】
リモコン２００からの入力キーの解析結果が黄キーである場合、リモコン入力解析部９０５は、表示エリア算出部９０８経由で番組ガイド作成部９０９に黄キーの入力を知らせる。黄キーの入力を知らされた番組ガイド作成部９０９は、２次元番組表の表示画面上に重ねて日時入力パネル１００１（図１０参照）を表示させる。
【０１４７】
リモコン２００からの入力キーの解析結果が数字キーであり、かつ２次元番組表上に日時入力パネル１００１が表示されている場合、リモコン入力解析部９０５は、数字キーにより指定された数字を示す信号を日時変換部９０７に出力する。なお、表示画面上に日時入力パネル１００１が表示されていない場合、リモコン入力解析部９０５は、数字キーにより指定された数字を示す信号を、チャンネル変換部９０６に出力する。
【０１４８】
日時変換部９０７において、リモコン入力解析部９０５から入力された数字キーが指定した数字は、日付を示す２桁の数値と、時間を示す２桁の数値（２４時間表示）であるとして日時が決定される。日時変換部９０７は、決定された４つの数値を示す信号を、２次元番組表の表示の基準位置になる時刻として表示エリア算出部９０８に出力する。例えば、日時変換部９０７は、入力された数字キーが「１」、「２」、「０」、「８」であった場合、１２日の午前８時と認識し、その数値を示す信号を表示エリア算出部９０８に出力する。
【０１４９】
表示エリア算出部９０８は、リモコン入力解析部９０５から方向指定キーを示す信号が１回入力されたとき、現在２次元番組表が表示している番組欄のカーソル位置を上下左右の指定された方向へ１つ（１時間又は１チャンネル）だけ移動した表示エリアを算出する。
【０１５０】
チャンネル変換部９０６から２次元番組表の表示の基準位置となるチャンネルを示す信号が入力されたとき、そのチャンネルが２次元番組表の表示の基準位置となるよう表示エリアが算出される。例えば、指定されたチャンネルが表示エリアのチャンネル軸における中央位置のチャンネルとなるように２次元番組表の表示エリアが算出される。
【０１５１】
日時変換部９０７から２次元番組表の表示の基準位置となる時刻を示す信号が入力されたとき、その時刻が２次元番組表の表示の基準位置となるよう表示エリアが算出される。例えば、指定された時刻が２次元番組表の時刻軸の一番上となるように２次元番組表の表示エリアを算出される。そして、表示エリア算出部９０８は算出した２次元番組表の表示エリアを番組ガイド作成部９０９に出力する。
【０１５２】
番組ガイド作成部９０９は、番組情報管理部９０４が蓄積し、管理している番組情報を入力して、表示エリア算出部９０８が算出した表示エリアに適応させて２次元番組表を作成する。番組ガイド作成部９０９は、表示部９１０が現在表示している２次元番組表を新たに作成した２次元番組表に切替えて表示するように指示する。
【０１５３】
表示部９１０は、現在表示している２次元番組表を、番組ガイド作成部９０９から入力された新たな２次元番組表に切替えて表示する。
【０１５４】
［ＥＰＧ表示装置９００による２次元番組表］
次に、図１０を用いて本発明に係る実施の形態３のＥＰＧ表示装置９００が作成し、表示する電子番組ガイド（ＥＰＧ）である２次元番組表について具体的に説明する。
図１０は表示部９１０に表示された２次元番組表の具体的な表示画面を示す図である。図１０は、２次元番組表の表示画面上に、日時入力パネル１００１が重ねて表示されたときの図である。
【０１５５】
図１０に示すように、日時入力パネル１００１は、数字キーにより２次元番組表の時刻軸にそってジャンプさせるために、２桁の日付と２桁の時間が入力されるよう日付入力フィールドと時刻入力フィールドが表示されている。日時入力パネル１００１において４桁の数字の入力が完了したとき、表示エリア算出部９０８は指定された時間軸を計算し、表示部９１０の２次元番組表が更新される。このとき、日時入力パネル１００１は表示エリアから消滅する。
【０１５６】
通常、電子番組ガイド（ＥＰＧ）の情報は、現在の日付の情報を含めて８日間の情報を有しており、それ以降の情報を持っていない。また、電子番組ガイドの情報には、現在より過去の情報は含まれていない。したがって、本発明に係る実施の形態３のＥＰＧ表示装置においては、現在の日付の情報を含めて８日間の情報しか持っていないとする。このため、実施の形態３のＥＰＧ表示装置においては、現在の日付から８日間以外の日付が入力されたとき、そのような入力は受け付けないよう設定されている。なお、日付は１日から３１日までしかないため、日時入力パネル１００１の日付フィールドには３２以上の数字が入力できないよう設定されている。また、時刻は０時から２４時までしかないため、時刻入力フィールドには２５以上の数字が入力できないよう設定されている。
なお、電子番組ガイド（ＥＰＧ）の情報が、８日間以上の日数の情報を有するものであれば、その日数に応じて本発明のＥＰＧ表示装置は対応するよう構成される。
【０１５７】
日時入力パネル１００１を表示されている状態において、日時ジャンプを終了する場合には、リモコン２００のリターンキー２０５により日時入力パネル１００１を消すことができる。
【０１５８】
本発明に係る実施の形態３のＥＰＧ表示装置においては、方向指定キー２０４によって２次元番組表のカーソルを１つずつ（１時間毎又は１チャンネル毎）移動できるだけでなく、図１０に示したように、リモコン２００における色付きキー領域２０２の黄キーにより日時入力パネル１００１を表示し、任意の日付で任意の時刻に簡単にジャンプできる構成を有している。
【０１５９】
［２次元番組表の作成と表示］
次に、図１１を用いて本発明に係る実施の形態３のＥＰＧ表示装置９００による電子番組ガイド（ＥＰＧ）である２次元番組表の作成と表示のフローについて説明する。
図１１は、実施の形態３のＥＰＧ表示装置９００により２次元番組表を表示し、表示エリアをユーザが求める表示内容に切替えるフローチャートである。
【０１６０】
まず、ユーザがリモコン２００の番組表キー２０３（図２参照）を押すことにより、ＥＰＧ表示装置９００に対して番組表キー入力の信号が入力される。この結果、ＥＰＧ表示装置９００の表示部９１０に２次元番組表が表示される（Ｓ１１０１）。
【０１６１】
２次元番組表が表示された状態において、リモコン２００の色付きキー領域２０２における黄キーの操作により日時入力パネル１００１の表示を設定し、若しくはリターンキー２０５の操作により日時入力パネル１００１の非表示を設定する（Ｓ１１０２）。
【０１６２】
番組表キー入力により最初に２次元番組表が表示されたときには日時入力パネル１００１は表示されておらず、黄キーのキー入力を行うことにより、図１０に示したように日時入力パネル１００１が表示される。また、日時入力パネル１００１の表示中においては、リモコン２００のリターンキー２０５の操作により日時入力パネル１００１を消すことができる。
【０１６３】
２次元番組表が表示された状態において、リモコン入力解析部９０５はリモコン２００から入力されたキーの種類が数字キーであるか否かを解析する（Ｓ１１０３）。入力キーが数字キーの場合、ステップ１１０２で設定した日時入力パネル１００１が表示中であるか否かが確認される（Ｓ１１０４）。日時入力パネル１００１が表示されているとき、リモコン入力解析部９０５は数字キーにより指定された数字を示す信号を日時変換部９０７に出力する。日時変換部９０７は入力された数字キーが示す信号を、日時を示す信号に変換する（Ｓ１１０５）。日時変換部９０７において日時から変換した時刻を示す信号を表示エリア算出部９０８に出力する。表示エリア算出部９０８は、入力された時刻を基に２次元番組表の表示エリアを算出する（Ｓ１１０６）。表示エリア算出部９０８は算出した表示エリアを番組ガイド作成部９０９に出力する。番組ガイド作成部９０９は表示部９１０で表示されている２次元番組表の切替え表示を行う（Ｓ１１０７）。
【０１６４】
例えば、図１０の２次元番組表のように日時入力パネル表示中のとき、リモコン２００の数字キーを「０」、「１」、「２」、及び「３」と押したとき、実施の形態３のＥＰＧ表示装置は、「１日」の「２３時」と判断し、表示エリア算出部９０８に出力し、表示エリア算出部９０８は、入力された日時を示す信号に基づき２次元番組表の表示エリアを算出する。表示エリア算出部９０８は算出した表示エリアを番組ガイド作成部９０９に出力し、番組ガイド作成部９０９が表示部９１０で表示されている２次元番組表の切替え表示を行う。
【０１６５】
ステップ１１０４において、日時入力パネル１００１が表示されていない場合、つまり、電子番組ガイドである２次元番組表が通常の表示状態において、リモコン入力解析部９０５は数字キーにより入力された数字を示す信号をチャンネル変換部９０６に出力する。チャンネル変換部９０６は、入力された数字キーにより指定された数字を示す信号を該当するチャンネルを示す信号に変換する（Ｓ１１０８）。チャンネル変換部９０６が変換したチャンネルを示す信号を、表示エリア算出部９０８に出力する。表示エリア算出部９０８は、入力されたチャンネルを示す信号に基づき、２次元番組表の表示エリアを算出する（Ｓ１１０９）。表示エリア算出部９０８は算出した表示エリアを番組ガイド作成部９０９に出力し、番組ガイド作成部９０９は表示部９１０において表示されている２次元番組表の切替えを行う（Ｓ１１０７）。
【０１６６】
ステップ１１０３において入力キーが数字キーでない場合、リモコン入力解析部９０５はリモコン２００から入力された入力キーが方向指定キー２０４であるか否かを解析する（Ｓ１１１０）。入力キーが方向指定キー２０４の場合、指定された方向及び移動量を示す信号を表示エリア算出部９０８に出力する。表示エリア算出部９０８は、指定された方向及び移動量に基づき２次元番組表の表示エリアを算出する（Ｓ１１１１）。表示エリア算出部９０８は算出した表示エリアを番組ガイド作成部９０９に出力する。番組ガイド作成部９０９は表示部９１０において表示されている２次元番組表の切替え表示を行う（Ｓ１１０７）。
【０１６７】
ステップ１１１０において、入力キーが方向指定キー２０４でない場合には、リモコン入力解析部９０５は、リモコン２００から入力された入力キーが色付きキー領域２０２の青キー又は赤キーであるかを確認する（Ｓ１１１２）。入力キーが青キーであれば表示画面を前日にジャンプさせるために指定日付の表示エリアを算出し、赤キーであれば表示画面を翌日にジャンプさせるために指定日付の表示エリアを算出する（Ｓ１１１３）。
ステップ１１１２において、入力キーが色付きキー領域２０２の青キー又は赤キーでない場合、リモコン入力解析部９０５は入力キーがリモコン２００の通常操作であると判定する（Ｓ１１１４）。
【０１６８】
前記のように構成された本発明に係る実施の形態３のＥＰＧ表示装置では、リモコン２００の数字キーが入力されたとき、表示エリア算出部９０８で日時入力パネル１００１が表示中であるか否かが確認され、日時入力パネル１００１の表示中であれば、数字キーにより日時を指定する数字を４回入力することにより、目標の日時までのジャンプが可能となる。したがって、本発明に係る実施の形態３のＥＰＧ表示装置においては、上下左右の方向を示すいずれかのキーを押し続けることにより表示エリアを所望の方向へスクロールさせるという従来の電子番組ガイド表示装置おいて煩雑であった操作が不要となり、ユーザが求める日時の番組を簡単な操作で瞬時に日時ジャンプして所望の画面表示可能となる。
【０１６９】
実施の形態４
以下、図１２から図１４を用いて本発明に係る実施の形態４の電子番組ガイド表示装置（以降、ＥＰＧ表示装置と略称）１２００について説明する。
【０１７０】
図１２は本発明に係る実施の形態４のＥＰＧ表示装置１２００の構成を示すブロック図である。ＥＰＧ表示装置１２００は、２次元番組表の画面表示において、リモコン２００からの入力により時刻軸にそってスクロールさせる煩雑さや、日付タブを用いて順番に移動させる煩雑さを解消するため、リモートコントロールユニット（以降、リモコンと略称）２００における少ないキー操作により所望の日付の番組へ移動することができる構成を有している。
【０１７１】
図１３は、実施の形態４のＥＰＧ表示装置１２００におけるに表示部１２１０に表示された電子番組ガイド（ＥＰＧ）の具体的な表示画面を示す図である。実施の形態４のＥＰＧ表示装置１２００において、前述の実施の形態１と同じ機能、構成を有するものには同じ符号を付しその説明は省略する。実施の形態４において、リモコン２００の数字キー領域２０６の数字キーは、２次元番組表のチャンネル軸にそったチャンネルジャンプ以外に、日付タブを用いてジャンプさせるときのジャンプ先の日付を指定するためにも使用される。
【０１７２】
［ＥＰＧ表示装置１２００の構成］
ＥＰＧ表示装置１２００は、受信部１２０１、多重化分離部１２０２、デコード部１２０３、番組情報管理部１２０４、リモコン入力解析部１２０５、チャンネル変換部１２０６、日付変換部１２０７、表示エリア算出部１２０８、番組ガイド作成１２０９、及び表示部１２１０を有している。
【０１７３】
実施の形態４のＥＰＧ表示装置１２００において、前述の各実施の形態と同様に受信部１２０１はデジタル放送の多重化されたストリームを受信する。多重化分離部１２０２は受信部１２０１から入力した多重化されたストリームを任意のデジタル映像情報、デジタル音声情報、及びサービス情報としての番組情報に分離する。また番組情報には、番組情報を示す情報、チャンネル情報、時刻情報等が含まれる。デコード部１２０３は多重化分離部１２０２から入力したデジタル映像情報、デジタル音声情報をデコードする。番組情報管理部１２０４は多重化分離部１２０２において分離されたサービス情報から番組情報を取り出し、全チャンネルの全時間帯における番組情報を蓄積し、管理する。
【０１７４】
リモコン２００との間が信号伝送可能に接続されたリモコン入力解析部１２０５は、ユーザがキー操作したリモコン２００からのキー入力信号を解析し、その解析結果に基づき、キー入力信号の出力先を選択する。即ち、リモコン入力解析部１２０５は、入力キーの種類及び２次元番組表のジャンプモードにより出力先を選択する。
【０１７５】
リモコン入力解析部１２０５の解析結果が数字キーであり、且つ、２次元番組表のジャンプモードがチャンネルジャンプモードのとき、チャンネル変換部１２０６はリモコン入力解析部１２０５から入力した数字キーが示す信号を該当するチャンネルが示す信号に変換する。リモコン入力解析部１２０５の解析結果が数字キーであり、且つ、２次元番組表のジャンプモードが日付ジャンプモードのとき、日付変換部１２０７はリモコン入力解析部１２０５から入力した数字キーが示す信号を日付情報が示す信号に変換する。
【０１７６】
表示エリア算出部１２０８は、リモコン入力解析部１２０５から入力した方向指定キー２０４により指定された方向に２次元番組表の表示エリアのスクロール方向を決定し、その位置を算出する。若しくは、表示エリア算出部１２０８は、リモコン入力解析部１２０５から入力した青キー又は赤キーが操作されたことを示す信号に基づき、２次元番組表の表示する日付を算出する。さらに、表示エリア算出部１２０８は、チャンネル変換部１２０６から入力された該当チャンネルを示す信号、又は日付変換部１２０７から入力された日付を示す信号により２次元番組表の表示エリアを算出する。
【０１７７】
番組ガイド作成１２０９は、表示エリア算出部１２０８からの算出結果に基づいて、番組情報管理部１２０４からの必要な情報を受けて２次元番組表を作成する。表示部１２１０は、デコード部１２０３から入力したデコードされた映像情報及び音声情報により映像を表示し、或いは、番組ガイド作成部１２０９から入力された２次元番組表を表示する。
【０１７８】
［ＥＰＧ表示装置１２００の動作］
次に、リモコン２００におけるキー操作から表示部１２１０において２次元番組表が切替え表示されるまでのＥＰＧ表示装置１２００における各構成の動作について詳細に説明する。
【０１７９】
リモコン２００においてユーザがキー操作を行ったとき、リモコン入力解析部１２０５は、リモコン２００からのキー入力を示す信号から、いずれのキーが操作されたかを解析する。即ち、リモコン入力解析部１２０５は、キー入力の種類が、ジャンプモードを変更するための黄キー、２次元番組表のカーソル位置を１つずつ（１時間毎又は１チャンネル毎）移動させるための方向指定キー、２次元番組表の日付を変更するための青キー又は赤キー、２次元番組表でチャンネルや日付をジャンプさせるための数字キー、及びその他のキーにおけるいずれのキー信号が入力されたかを解析する。
【０１８０】
リモコン２００からの入力キーの解析結果が方向指定キー２０４の場合、リモコン入力解析部１２０５は、方向指定キー２０４により指定された方向を示す信号を表示エリア算出部１２０８に出力する。リモコン２００からの入力キーの解析結果が青キーの場合、リモコン入力解析部１２０５は現在の日付から１日前の日付を示す信号を表示エリア算出部１２０８に出力する。また、解析結果が赤キーの場合、リモコン入力解析部１２０５は現在の日付から１日後の日付を表示エリア算出部１２０８に出力する。リモコン２００からの入力キーの解析結果が黄キーの場合、リモコン入力解析部１２０５は、２次元番組表のジャンプモードがチャンネルジャンプモード、或いは、日付ジャンプモードのいずれのモードであるかを確認する。黄キーの入力が１回入力される度にジャンプモードがチャンネルジャンプモードと、日付ジャンプモードとの間で切り替わる。リモコン２００からの入力キーの解析結果が数字キーであり、ジャンプモードがチャンネルジャンプモードのとき、リモコン入力解析部１２０５は数字キーにより指定された数字を、チャンネル変換部１２０６に出力する。一方、リモコン２００からの入力キーの解析結果が数字キーであり、ジャンプモードが日付ジャンプモードのとき、リモコン入力解析部１２０５は数字キーにより指定された数字を、日付変換部１２０７に出力する。
【０１８１】
チャンネル変換部１２０６は、リモコン入力解析部１２０５から入力した数字キーにより指定された数字を示す信号を該当するチャンネルを示す信号に変換する。変換されたチャンネルが２次元番組表の表示の基準位置となるチャンネルとして表示エリア算出部１２０８に出力される。例えば、リモコン２００により数字キーの「２」が入力された場合、２チャンネルが２次元番組表の基準位置のチャンネルとなる。
【０１８２】
日付変換部１２０７は、リモコン入力解析部１２０５から入力した数字キーの数字を示す信号を、該当する日付を示す信号に変換し、２次元番組表が表示する日付として表示エリア算出部１２０８に出力する。
【０１８３】
表示エリア算出部１２０８は、リモコン入力解析部１２０５から方向指定キー２０４が入力されたとき、現在の２次元番組表が表示している番組欄のカーソル位置を方向指定キー２０４により指定された方向へ１つだけ移動（１時間単位又は１チャンネル単位で移動）するように、その位置を算出する。表示エリア算出部１２０８は、リモコン入力解析部１２０５から青キーを示す信号が入力されたとき、現在の２次元番組表が表示している番組欄の日付を１日前へ移動するように、その位置を算出する。若しくは、赤キーを示す信号が入力されたとき、表示エリア算出部１２０８は、現在の２次元番組表が表示している番組欄の日付を１日後へ移動するように、その位置を算出する。
【０１８４】
チャンネル変換部１２０６から２次元番組表の表示の基準位置となるチャンネルを示す信号が入力されたとき、表示エリア算出部１２０８は、指定されたチャンネルが２次元番組表の表示の基準位置となるように、２次元番組表の表示形式を算出する。例えば、２次元番組表のチャンネル軸における中央のチャンネルとなるように２次元番組表の表示形式を算出する。
【０１８５】
日付入力部１２０７から２次元番組表の表示する日付を示す信号が入力されたとき、表示エリア算出部１２０８は、現在表示中の時刻及びチャンネルは変更せずに、指定された日付の日付タブが選択されたとして、その２次元番組表の表示形式を算出する。そして、表示エリア算出部１２０８は算出した２次元番組表の表示エリアを番組ガイド作成部１２０９に出力する。
【０１８６】
番組ガイド作成部１２０９は、番組情報管理部１２０４が蓄積し、管理している番組情報を入力して、表示エリア算出部１２０８が算出した表示エリアに適応させて２次元番組表を作成する。番組ガイド作成部１２０９は、表示部１２１０が現在表示している２次元番組表を新たに作成した２次元番組表に切替えて表示するように指示する。
表示部１２１０は、現在表示している２次元番組表を、番組ガイド作成部１２０９から入力された新たな２次元番組表に切替えて表示する。
【０１８７】
［ＥＰＧ表示装置１２００による２次元番組表］
次に、図１３を用いて本発明に係る実施の形態４のＥＰＧ表示装置１２００が作成し、表示する電子番組ガイド（ＥＰＧ）である２次元番組表について説明する。
【０１８８】
図１３は表示部１２１０に表示された２次元番組表の具体的な表示画面を示す図である。図１３は、２次元番組表の表示において日付ジャンプモードが設定されたときの図である。図１３において、横方向にチャンネルが配置され、縦方向に時刻が配置され、番組欄１３０３の上部に日付を示す日付タブ１３０２が配置されている。
【０１８９】
通常、電子番組ガイド（ＥＰＧ）の情報は、現在の日付の情報を含めて８日間の情報を有しており、それ以降は情報を持っていない。また、電子番組ガイドの情報には、現在より過去の情報は含まれていない。このため、実施の形態４のＥＰＧ表示装置においては、現在の日付から８日間の情報のみを表示可能としている。
【０１９０】
実施の形態４のＥＰＧ表示装置において、図１３に示すように、日付ジャンプモードが設定されたときの表示画面には８日間の日付タブ１３０２が番組欄１３０３の上部に表示されている。また、８日間の日付タブ１３０２のそれぞれの上部にはリモコンガイド１３０１である数字キーの数字が表示されている。図１３に示す具体的な表示画面においては、「２６日水曜日」から「３１日月曜日」と「１日火曜日」と「２日水曜日」の日付タブ１３０２と、これらの日付タブ１３０２に対応する数字キーとして「６」から「１１」と「１」と「２」の数字で示したリモコンガイド１３０１が表示されている。リモコンガイド１３０１と日付タブ１３０２は、日付タブ１３０２が示す日付数字の下一桁の数字がリモコンガイド１３０１の数字に割り当てられている。但し、日付「３０日」には数字キーの「１０」を対応させており、「３１日」は「１日」と連続する場合があるため、日付「３１日」は数字キーの「１１」をリモコンガイド１３０１の数字とし、日付「１日」は数字キーの「１」をリモコンガイド１３０１の数字として用いている。
【０１９１】
本発明に係る実施の形態４のＥＰＧ表示装置においては、方向指定キー２０４によって２次元番組表のカーソルを１つずつ（１時間毎又は１チャンネル毎）移動できるだけでなく、図１３に示したように、リモコン２００における色付きキー領域２０２の黄キーによってジャンプモードを日付ジャンプモードにすることにより、数字キーの入力で好きな日付へジャンプできる構成を有している。
【０１９２】
［２次元番組表の作成と表示］
次に、図１４を用いて本発明に係る実施の形態４のＥＰＧ表示装置１２００による電子番組ガイド（ＥＰＧ）である２次元番組表の作成と表示のフローについて説明する。
図１４は、実施の形態４のＥＰＧ表示装置１２００により２次元番組表を表示し、表示エリアをユーザが求める表示内容に切替えるフローチャートである。
【０１９３】
まず、ユーザがリモコン２００の番組表キー２０３（図２参照）を押すことにより、ＥＰＧ表示装置１２００の表示部１２１０に対して番組表キー入力の信号が入力される。この結果、ＥＰＧ表示装置１２００の表示部に２次元番組表が表示される（Ｓ１４０１）。
【０１９４】
２次元番組表が表示された状態において、リモコン２００の色付きキー領域２０２の黄キーの操作により２次元番組表のジャンプモードが設定される。リモコン２００から送信された黄キー入力の信号をリモコン入力解析部１２０５が解析し、ジャンプモードがチャンネルジャンプモードか日付ジャンプモードのいずれであるかを確認する（Ｓ１４０２）。ジャンプモードの初期設定はチャンネルジャンプモードに設定されている。したがって、黄キーの１回目の操作により２次元番組表のチャンネルジャンプモードが表示され、その後、黄キーを１回操作する度に日付ジャンプモードとチャンネルジャンプモードが順次に切り替わる。
【０１９５】
２次元番組表が表示された状態において、リモコン入力解析部１２０５がリモコン２００から入力されたキーの種類が数字キーであるか否かを解析する（Ｓ１４０３）。入力キーが数字キーの場合、ステップ１４０２で設定したジャンプモードが日付ジャンプモードであるかを確認する（Ｓ１４０４）。ジャンプモードが日付ジャンプモードの場合、リモコン入力解析部１２０５が数字キーにより指定された数字を示す信号を日付変換部１２０７に出力する。日付変換部１２０７は、入力された数字キーが示す信号を、日付を示す信号に変換する（Ｓ１４０５）。日付変換部１２０７が変換した日付を示す信号を表示エリア算出部１２０８に出力する。表示エリア算出部１２０８は、入力された日付を示す信号に基づき２次元番組表の表示エリアを算出する（Ｓ１４０６）。表示エリア算出部１２０８は算出した表示エリアを番組ガイド作成部１２０９に出力する。番組ガイド作成部１２０９は表示部１２１０で表示されている２次元番組表の切替え表示を行う（Ｓ１４０７）。
【０１９６】
例えば、図１３の２次元番組表のように日付ジャンプモードの状態において、即ち現在表示中の日付が「２７日（木曜日）」であり、時刻が「２０時（午後８時）」の２次元番組表が表示されている状態において、リモコン２００の数字キー領域２０６の数字キー「１１」が押された場合に次のように動作する。
【０１９７】
リモコン２００から入力された数字キーが「１１」であることを認識したリモコン入力解析部１２０５は、ジャンプモードが日付ジャンプモードであることを確認する。そして、リモコン入力解析部１２０５は、入力された数字キー「１１」が示す信号を日付変換部１２０７に出力し、数字キー「１１」が示す信号を「３１日（月曜日）」が示す信号に変換する。日付変換部１２０７は、変換した「３１日（月曜日）」を示す信号を表示エリア算出部１２０８に出力する。表示エリア算出部１２０８は、入力された「３１日（月曜日）」を示す信号に基づき２次元番組表の表示エリアを算出する。表示エリア算出部１２０８は算出した表示エリアを番組ガイド作成部１２０９に出力する。番組ガイド作成部１２０９は表示部１２１０において表示されている２次元番組表の切替え表示を行う（Ｓ１４０７）。
【０１９８】
一方、ステップ１４０４において、ジャンプモードが日付ジャンプモードでない場合、即ちジャンプモードがチャンネルジャンプモードの場合、リモコン入力解析部１２０５は数字キーにより入力された数字を示す信号をチャンネル変換部１２０６に出力する。チャンネル変換部１２０６は、入力された数字を示す信号を該当するチャンネルを示す信号に変換する（Ｓ１４０８）。チャンネル変換部１２０６は、変換したチャンネルを示す信号を表示エリア算出部１２０８に出力する。表示エリア算出部１２０８は、入力されたチャンネルを示す信号に基づき２次元番組表の表示エリアを算出する（Ｓ１４０９）。表示エリア算出部１２０８は、算出した表示エリアを番組ガイド作成部１２０９に出力する。番組ガイド作成部１２０９は、表示部１２１０において表示されている２次元番組表の切替え表示を行う（Ｓ１４０７）。
【０１９９】
また、ステップ１４０３において、入力キーが数字キーではない場合、リモコン入力解析部１２０５はリモコン２００から入力された入力キーが方向指定キー２０４であるか否かを解析する（Ｓ１４１０）。入力キーが方向指定キー２０４の場合、リモコン入力解析部１２０５は方向指定キー２０４により指定された方向及び移動量を示す信号を表示エリア算出部１２０８に出力する。表示エリア算出部１２０８は、指定された方向及び移動量に基づき２次元番組表の表示エリアを算出する（Ｓ１４１１）。表示エリア算出部１２０８は算出した表示エリアを番組ガイド作成部１２０９に出力する。番組ガイド作成部１２０９は表示部１２１０において表示されている２次元番組表の切替え表示を行う（Ｓ１４０７）。
【０２００】
ステップ１４１０において、入力キーが方向指定キー２０４でない場合には、リモコン入力解析部１２０５は、リモコン２００から入力された入力キーが青キー又は赤キーであるか否かを確認する（Ｓ１４１２）。入力キーが青キーであれば表示画面を前日にジャンプさせるために指定日付の表示エリアを算出し、赤キーであれば表示画面を翌日にジャンプさせるために指定日付の表示エリアを算出する（Ｓ１４１３）。表示エリア算出部１２０８は算出した表示エリアの日付を番組ガイド作成部１２０９に出力する。番組ガイド作成部１２０９は表示部１２１０において表示されている２次元番組表の切替え表示を行う（Ｓ１４０７）。
【０２０１】
ステップ１４１２において、入力キーが色付きキー領域２０２の青キー又は赤キーでない場合、リモコン入力解析部１２０５は入力キーがリモコン２００の通常操作であると判定する（Ｓ１４１４）。
【０２０２】
前記のように構成された本発明に係る実施の形態４のＥＰＧ表示装置では、ジャンプモードの日付ジャンプモードであれば、リモコン２００の数字キー入力を１回行うだけで所望の日付に移動することが可能となる。したがって、本発明に係る実施の形態４のＥＰＧ表示装置においては、上下左右の方向を示すいずれかのキーを押し続けることにより表示エリアを所望の方向へスクロールさせるという従来の電子番組ガイド表示装置おいて煩雑であった操作が不要となり、ユーザが求める番組を簡単な操作で瞬時に日付ジャンプして所望の番組の画面表示が可能となる。
【０２０３】
なお、本発明に係る実施の形態４のＥＰＧ表示装置においては、ジャンプモードを日付ジャンプモードへ移行するために黄キーを用いたが、青キー又は赤キーにより日付移動の操作を行ったときに自動的に日付ジャンプモードに変更されるよう構成してもよい。その場合、３秒間程度、日付ジャンプのリモコンガイド１３０１を表示し、その間に数字キーの入力がなければ、自動でチャンネルジャンプモードに戻るようにしてもよい。
【０２０４】
前記のように、本発明に係る電子番組ガイド表示装置（ＥＰＧ表示装置）及び電子番組ガイド表示方法（ＥＰＧ表示方法）においては、２次元番組表においてユーザが閲覧したい番組を画面表示させるために、リモコンにおける上下左右の方向を指定するキーを長時間操作することにより、２次元番組表を順次スクロールさせて所望の番組を表示させるものではなく、簡単な操作によりユーザが閲覧したい番組を瞬時に画面表示することができるものである。本発明においては、ユーザが直感的なキー操作を行うことができるように構成されており、リモコンにおける数字が付された数字キーや左右方向を示す方向指定キーを用いて所望の日時や時刻を指定し、２次元番組表における所望の番組を瞬時に表示でき、優れた操作性を有している。
【０２０５】
なお、本発明の電子番組ガイド表示装置（ＥＰＧ表示装置）及び電子番組ガイド表示方法（ＥＰＧ表示方法）は、前記の実施の形態の構成に限定されるものではなく、同様の技術的思想により構築される全ての構成を含むものである。例えば、前記の実施の形態におけるリモコンの数字キー領域には「１」から「１２」の数字を示す数字キーを設けた例で説明したが、「０」から「９」までの数字を付した数字キーと文字又は符号等を付したキーを設けた場合でも対応することが可能である。その場合には、前記の実施の形態におけるリモコン２００の数字キー「１０」を数字キー「０」に対応させ、リモコン２００の数字キー「１１」と「１２」を文字や符号等を用いたキーに対応させる。
【０２０６】
また、本発明の電子番組ガイド表示装置（ＥＰＧ表示装置）及び電子番組ガイド表示方法（ＥＰＧ表示方法）においては、指定された曜日にジャンプするよう構成してもよい。その場合には、リモコンの数字キーを各曜日に対応させる。例えば数字キーの「１」が「日曜日」、「２」が「月曜日」、「３」が「火曜日」、「４」が「水曜日」、「５」が「木曜日」、「６」が「金曜日」、そして「７」が「土曜日」に対応させて用い、表示エリアにこれらの対応関係を表示する。このように構成することにより、リモコンの数字キーを用いて曜日ジャンプを行うことが可能となる。
【０２０７】
さらに、本発明の電子番組ガイド表示装置（ＥＰＧ表示装置）及び電子番組ガイド表示方法（ＥＰＧ表示方法）においては、リモコンの数字キーを用いて、表示画面から前後の日の番組欄を瞬時に表示するよう構成することも可能である。その場合、例えば、色付きキー領域の青キーの後に数字キーを操作することにより、その数字キーが示す数字の日数分の前の番組を表示し、赤キーの後に数字キーを操作することにより、その数字キーが示す数字の日数分の後の番組を表示するよう構成してもよい。
【産業上の利用可能性】
【０２０８】
本発明は、放送中や放送予定のチャンネルや番組等に関する付加情報を受信する放送受信機に用いられ、所望の番組を検索したり番組情報を入手したりする際の操作性が優れているため電子番組ガイド表示装置及び電子番組ガイド表示方法等において有用である。
【図面の簡単な説明】
【０２０９】
【図１】本発明に係る実施の形態１の電子番組ガイド表示装置（ＥＰＧ表示装置）の構成を示すブロック図
【図２】実施の形態１の電子番組ガイド表示装置を操作するためのリモコンの外観図
【図３】実施の形態１の電子番組ガイド表示装置におけるチャンネルジャンプモード時の２次元番組表の表示画面の図
【図４】実施の形態１の電子番組ガイド表示装置における時刻ジャンプモード時の２次元番組表の表示画面の図
【図５】実施の形態１の電子番組ガイド表示装置における２次元番組表の表示エリアを表示切替えするためのフローチャート
【図６】本発明に係る実施の形態２の電子番組ガイド表示装置（ＥＰＧ表示装置）の構成を示すブロック図
【図７】実施の形態２の電子番組ガイド表示装置における時刻ジャンプパネル表示中の２次元番組表の表示画面の図
【図８】実施の形態２の電子番組ガイド表示装置における２次元番組表の表示エリアを表示切替えするためのフローチャート
【図９】本発明に係る実施の形態３の電子番組ガイド表示装置（ＥＰＧ表示装置）における電子番組ガイド表示装置の構成を示すブロック図
【図１０】実施の形態３の電子番組ガイド表示装置における日付入力パネル表示中の２次元番組表の表示画面の図
【図１１】実施の形態３の電子番組ガイド表示装置における２次元番組表の表示エリアを表示切替えするためのフローチャート
【図１２】本発明に係る実施の形態４の電子番組ガイド表示装置（ＥＰＧ表示装置）における電子番組ガイド表示装置の構成を示すブロック図
【図１３】実施の形態４の電子番組ガイド表示装置における日付入力パネル表示中の２次元番組表の表示画面の図
【図１４】実施の形態４の電子番組ガイド表示装置における２次元番組表の表示エリアを表示切替えするためのフローチャート
【図１５】従来の電子番組ガイド表示装置の構成を示すブロック図
【図１６】従来の電子番組ガイド表示装置における２次元番組表の表示画面の図
【符号の説明】
【０２１０】
１００，６００，９００，１２００  電子番組ガイド表示装置（ＥＰＧ表示装置）
１０１，６０１，９０１，１２０１  受信部
１０２，６０２，９０２，１２０２  多重化分離部
１０３，６０３，９０３，１２０３  デコード部
１０４，６０４，９０４，１２０４  番組情報管理部
１０５，６０５，９０５，１２０５  リモコン入力解析部
１０６，６０６，９０６，１２０６  チャンネル変換部
１０７，６０７  時刻変換部
１０８，６０８，９０８，１２０８  表示エリア算出部
１０９，６０９，９０９，１２０９  番組ガイド作成部
１１０，６１０，９１０，１２１０  表示部
１１１  日付変換部
２００  リモコン
２０１  電源キー
２０２  色付きキー領域
２０３  番組表キー
２０４  方向指定キー
２０５  リターンキー
２０６  数字キー領域
３０１  チャンネル描画エリア
４０１  時刻描画エリア
７０１  時刻ジャンプパネル
９０７  日時変換部
１００１  日時入力パネル
１２０７  日付変換部
１３０１  リモコンガイド
１３０２  日付タブ
１３０３  番組欄
【図１】
0004659046.tif 000002
【図２】
0004659046.tif 000003
【図３】
0004659046.tif 000004
【図４】
0004659046.tif 000005
【図５】
0004659046.tif 000006
【図６】
0004659046.tif 000007
【図７】
0004659046.tif 000008
【図８】
0004659046.tif 000009
【図９】
0004659046.tif 000010
【図１０】
0004659046.tif 000011
【図１１】
0004659046.tif 000012
【図１２】
0004659046.tif 000013
【図１３】
0004659046.tif 000014
【図１４】
0004659046.tif 000015
【図１５】
0004659046.tif 000016
【図１６】
0004659046.tif 000017